(57)【特許請求の範囲】
【請求項１】
高次コーディングの変調処理方法であって、
基地局は伝送タイプと予め定義された情報に基づき変調とコーディングポリシーのＭＣＳ表を選択し、前記ＭＣＳ表はＭ次変調方式をサポートするＭＣＳ表及びＭ次変調方式をサポートしないＭＣＳ表を含み、Ｍ＞６４であることと、
前記基地局は端末にダウンリンク制御シグナリングを送信し、前記ダウンリンク制御シグナリングは変調とコーディング方式のドメインＩMCSを含み、前記変調とコーディング方式のドメインＩMCSは基地局により選択したＭ次変調方式をサポートする又はサポートしないＭＣＳ表に基づくものであることと、を含み、
基地局は伝送タイプと予め定義された情報に基づき変調とコーディングポリシーのＭＣＳ表を選択することは、
前記伝送タイプがダウンリンク伝送である際に、前記基地局は前記予め定義された情報に基づきダウンリンクＭＣＳ表を選択することを含み、前記予め定義された情報はサブフレームセットに設定した表タイプを含み、前記表タイプは前記Ｍ次変調方式をサポートするチャンネル品質指示ＣＱＩ表又はＭ次変調方式をサポートしないＣＱＩ表であり、
前記サブフレームセットは前記基地局が設定したサブフレームセット０及び/又はサブフレームセット１を含み、
前記基地局がサブフレームセットに設定した表タイプに基づきダウンリンクＭＣＳ表を選択する際に、前記方法は、
サブフレームセット０又は/及びサブフレームセット１にＭ次変調方式をサポートするチャンネル品質指示ＣＱＩ表を設定する際に、ダウンリンクサブフレームはＭ次変調方式をサポートするＭＣＳ表を使用すること、
サブフレームセットｉにＭ次変調方式をサポートするＣＱＩ表を設定する際に、サブフレームセットｉはＭ次変調方式をサポートするＭＣＳ表を使用し、サブフレームセットｉにＭ次変調方式をサポートしないＣＱＩ表を設定する際に、サブフレームセットｉはＭ次変調方式をサポートしないＭＣＳ表を使用し、ｉ＝０，１であり、サブフレームセット０とサブフレームセット１を除いたサブフレームに対して、前記方法は、専有の上位層シグナリングによってＭ次変調方式をサポートする又はサポートしないＭＣＳ表を設定すること、Ｍ次変調方式をサポートしないＭＣＳ表を使用するように予め定義されたこと、サブフレームセット０とサブフレームセット１の少なくとも一つにＭ次変調方式をサポートするＣＱＩ表を設定する際に、Ｍ次変調方式をサポートするＭＣＳ表を使用すること、の少なくとも一つを含むこと、の少なくとも一つを更に含み、
または、
基地局は伝送タイプと予め定義された情報に基づき変調とコーディングポリシーのＭＣＳ表を選択することは、
前記伝送タイプがアップリンク伝送である際に、前記基地局は予め定義された情報に基づきアップリンクＭＣＳ表を選択することを含み、前記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩMCSを含むＤＣＩのＤＣＩフォーマット(ＤＣＩ format)、
変調とコーディング方式のドメインＩMCSを含むダウンリンク制御シグナリングに対応する、共通検索領域、ＵＥ特有検索領域の少なくとも一つを含む検索領域、
変調とコーディング方式のドメインＩMCSを含むダウンリンク制御シグナリングに対応する、半永続スケジューリングセル無線ネットワーク一時的アイデンティティＳＰＳ Ｃ-ＲＮＴＩスクランブリング、セル無線ネットワーク一時的アイデンティティＣ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、
の少なくとも一つを含む高次コーディングの変調処理方法。
【請求項２】
前記ＤＣＩ formatは、ＤＣＩ format ０，ＤＣＩ format ４の少なくとも一つを含む請求項１に記載の方法。
【請求項３】
前記基地局はダウンリンク伝送である際に設定した表タイプに基づきアップリンクＭＣＳ表を選択する際に、前記方法は、
ダウンリンク伝送にＭ次変調方式をサポートするＣＱＩ表及び/又はＭ次変調方式をサポートするＭＣＳ表を設定する際に、特定のシーンのアップリンク伝送にＭ次変調方式をサポートするアップリンクＭＣＳ表を設定すること、
ダウンリンク伝送にＭ次変調方式をサポートするＣＱＩ表及び/又はＭ次変調方式をサポートするＭＣＳ表を設定し、且つ特定のシーンのアップリンク伝送は物理アップリンク共有チャンネルＰＵＳＣＨにおいてチャンネル状態情報ＣＳＩを送信する際に、該アップリンク伝送にＭ次変調方式をサポートしないアップリンクＭＣＳ表を設定すること、
基地局が送信した設定シグナリングによって前記アップリンク伝送にＭ次変調方式をサポートする又はサポートしないアップリンクＭＣＳ表を選択すること、の少なくとも一つを更に含み、
前記特定のシーンは時分割複信ＴＤＤ伝送を含む請求項１に記載の方法。
【請求項４】
前記基地局は、ＤＣＩフォーマット(ＤＣＩ format)、ダウンリンク制御シグナリングに対応する検索領域、ダウンリンク制御シグナリングに対応するＣＲＣスクランブリング方式、アップリンク伝送モードの少なくとも一つに基づきアップリンクＭＣＳ表を選択する際に、前記方法は、
前記基地局は端末にアップリンク伝送モード１を設定し、或いはＤＣＩ formatをＤＣＩ format ０のみとして設定する際に、ダウンリンク制御シグナリングに対応する検索領域が共通検索領域であると、前記基地局はＭ次変調方式をサポートしないアップリンクＭＣＳ表を選択すること、ダウンリンク制御シグナリングに対応する検索領域がＵＥ特有検索領域であると、基地局はＭ次変調方式をサポートするアップリンクＭＣＳ表を選択すること、
前記基地局は端末にアップリンク伝送モード１を設定し、或いはＤＣＩ formatをＤＣＩ format ０のみとして設定する際に、ダウンリンク制御シグナリングに対応するＣＲＣスクランブリング方式がＳＰＳ Ｃ-ＲＮＴＩスクランブリングであると、前記基地局はＭ次変調方式をサポートしないアップリンクＭＣＳ表を選択すること、ダウンリンク制御シグナリングに対応するＣＲＣスクランブリング方式がＣ-ＲＮＴＩスクランブリングであると、前記基地局はＭ次変調方式をサポートするアップリンクＭＣＳ表を選択すること、
前記基地局は端末にアップリンク伝送モード１を設定し、或いはＤＣＩ formatをＤＣＩ format ０のみとして設定する際に、ダウンリンク制御シグナリングに対応する検索領域が共通検索領域であると、前記基地局はＭ次変調方式をサポートしないアップリンクＭＣＳ表を選択すること、ダウンリンク制御シグナリングに対応する検索領域がＵＥ特有検索領域であり且つＣＲＣスクランブリング方式がＳＰＳ Ｃ-ＲＮＴＩスクランブリングであると、基地局はＭ次変調方式をサポートしないアップリンクＭＣＳ表を選択すること、ダウンリンク制御シグナリングに対応する検索領域がＵＥ特有検索領域であり且つＣＲＣスクランブリング方式がＣ-ＲＮＴＩスクランブリングであると、基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つ前記ダウンリンク制御シグナリングに対応する検索領域が共通検索領域であると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つダウンリンク制御シグナリングに対応するＣＲＣスクランブリング方式がＳＰＳ Ｃ-ＲＮＴＩスクランブリングであると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応するＣＲＣスクランブリング方式がＣ-ＲＮＴＩスクランブリングであると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つダウンリンク制御シグナリングに対応する検索領域が共通検索領域であると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＳＰＳ Ｃ-ＲＮＴＩスクランブリングであると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＣ-ＲＮＴＩスクランブリングであると、前記基地局はＭ次変調方式をサポートするアップリンクＭＣＳ表を選択すること、基地局はＤＣＩ format ４によってダウンリンク制御シグナリングを送信すると、基地局はＭ次変調方式をサポートするアップリンク表を選択すること、
前記基地局は端末にアップリンク伝送モード２を設定して、或いはＤＣＩ format ０とＤＣＩ format ４の２種のＤＣＩ formatを設定する際に、前記基地局はＤＣＩ format ０によってダウンリンク制御シグナリングを送信すると、前記基地局はＭ次変調方式をサポートしないアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、の少なくとも一つを更に含み、
又は、
前記基地局は前記基地局が設定した或いは予め定義されたアップリンクサブフレームセットに基づきアップリンクＭＣＳ表を選択する際に、前記方法は、
サブフレームセット２とサブフレームセット３に対して、前記基地局はそれぞれＭ次変調方式をサポートする又はサポートしないアップリンクＭＣＳ表を設定して、前記サブフレームセット２と３は基地局が設定したアップリンクサブフレームセット、或いは予め定義されたサブフレームセットであること、
基地局はサブフレームセット２だけにＭ次変調方式をサポートする又はサポートしないアップリンクＭＣＳ表を設定して、サブフレームセット３はＭ次変調方式をサポートしないアップリンクＭＣＳ表を使用すること、
基地局はサブフレームセット３だけにＭ次変調方式をサポートする又はサポートしないアップリンクＭＣＳ表を設定して、サブフレームセット２はＭ次変調方式をサポートしないアップリンクＭＣＳ表を使用すること、の少なくとも一つを更に含む請求項１に記載の方法。
【請求項５】
基地局は伝送タイプと予め定義された情報に基づきＭ次変調方式をサポートする変調とコーディングポリシーのＭＣＳ表を選択した後に、基地局は端末に前記基地局が端末に送信した前記ダウンリンク制御シグナリングを送信し、前記ダウンリンク制御シグナリングは伝送電力制御指令ＴＰＣ commandドメインを含み、前記ＴＰＣ commandドメインは、
前記ダウンリンク制御シグナリングはＤＣＩ format ３Ａによって送信される際に、前記ＴＰＣ commandドメインはＮ１ビットで示され、Ｎ１は１以上の正の整数であり、且つＴＰＣ commandドメインに対応するＴＰＣ command数値は−１と１を除いた他の整数を含む特徴、
前記ダウンリンク制御シグナリングはＤＣＩ format ３Ａを除いた他のＤＣＩ formatによって送信される際に、前記ＴＰＣ commandドメインはＮ２ビットで示され、Ｎ２は２以上の正の整数であり、且つＴＰＣ commandドメインに対応するＴＰＣ command数値は−１，０，１，３を除いた他の整数を含む特徴、の一つを少なくとも含む請求項１に記載の方法。
【請求項６】
高次コーディングの変調処理方法であって、
端末は基地局が送信したダウンリンク制御シグナリングを受信し、前記ダウンリンク制御シグナリングは変調とコーディング方式のドメインＩMCSを含み、前記変調とコーディング方式のドメインＩMCSは基地局が伝送タイプと予め定義された情報に基づき選択したＭＣＳ表に基づくものであり、前記ＭＣＳ表はＭ次変調方式をサポートするＭＣＳ表及びＭ次変調方式をサポートしないＭＣＳ表を含み、Ｍ＞６４であることと、
前記端末は変調とコーディング方式のドメインＩMCSに基づきアップリンクデータのコーディング変調を実行し、或いはダウンリンクデータの復調復号を実行することと、を含み、
前記伝送タイプがダウンリンク伝送である際に、前記基地局は前記予め定義された情報に基づきダウンリンクＭＣＳ表を選択し、前記予め定義された情報は、
サブフレームセットに設定した表タイプを含み、前記表タイプは前記Ｍ次変調方式をサポートするチャンネル品質指示ＣＱＩ表又はＭ次変調方式をサポートしないＣＱＩ表であり、
前記サブフレームセットは前記基地局が設定したサブフレームセット０及び/又はサブフレームセット１を含み、
前記伝送タイプはダウンリンク伝送であり、且つ前記基地局が選択したＭＣＳ表がダウンリンクＭＣＳ表である際に、前記方法は、
サブフレームセット０又は/及びサブフレームセット１にＭ次変調方式をサポートするＣＱＩ表を設定する際に、ダウンリンクサブフレームはＭ次変調方式をサポートするＭＣＳ表を使用すること、
サブフレームセットｉにＭ次変調方式をサポートするＣＱＩ表を設定する際に、サブフレームセットｉはＭ次変調方式をサポートするＭＣＳ表を使用し、サブフレームセットｉにＭ次変調方式をサポートしないＣＱＩ表を設定する際に、サブフレームセットｉはＭ次変調方式をサポートしないＭＣＳ表を使用し、ｉ＝０，１であり、サブフレームセット０とサブフレームセット１を除いたサブフレームに対して、前記方法は、専有の高レベルのシグナリングによってＭ次変調方式をサポートする又はサポートしないＭＣＳ表を設定すること、Ｍ次変調方式をサポートしないＭＣＳ表を使用するように予め定義されたこと、サブフレームセット０とサブフレームセット１の少なくとも一つにＭ次変調方式をサポートするＣＱＩ表を設定する際に、Ｍ次変調方式をサポートするＭＣＳ表を使用すること、の少なくとも一つを含むこと、の少なくとも一つを更に含み、
または、
前記伝送タイプはアップリンク伝送である際に、前記基地局は前記予め定義された情報に基づきアップリンクＭＣＳ表を選択し、前記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩMCSを含むＤＣＩのＤＣＩフォーマット(ＤＣＩ format)、
変調とコーディング方式のドメインＩMCSを含むダウンリンク制御シグナリングに対応する、共通検索領域、ＵＥ特有検索領域の少なくとも一つを含む検索領域、
変調とコーディング方式のドメインＩMCSを含むダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、の少なくとも一つを含む高次コーディングの変調処理方法。
【請求項７】
前記ＤＣＩ formatは、ＤＣＩ format ０，ＤＣＩ format ４の少なくとも一つを含む請求項６に記載の方法。
【請求項８】
前記基地局はダウンリンク伝送である際に設定した表タイプに基づきアップリンクＭＣＳ表を選択する際に、前記方法は、
ダウンリンク伝送にＭ次変調方式をサポートするＣＱＩ表及び/又はＭ次変調方式をサポートするＭＣＳ表を設定する際に、特定のシーンのアップリンク伝送にＭ次変調方式をサポートするアップリンクＭＣＳ表を設定すること、
ダウンリンク伝送にＭ次変調方式をサポートするＣＱＩ表及び/又はＭ次変調方式をサポートするＭＣＳ表を設定し、且つ特定のシーンのアップリンク伝送は物理アップリンク共有チャンネルＰＵＳＣＨにおいてチャンネル状態情報ＣＳＩを送信する際に、該アップリンク伝送にＭ次変調方式をサポートしないアップリンクＭＣＳ表を設定すること、
基地局が送信した設定シグナリングによって前記アップリンク伝送にＭ次変調方式をサポートする又はサポートしないアップリンクＭＣＳ表を選択すること、の少なくとも一つを更に含み、
前記特定のシーンは時分割複信ＴＤＤ伝送を含む請求項６に記載の方法。
【請求項９】
前記基地局はＤＣＩフォーマット(ＤＣＩ format)、ダウンリンク制御シグナリングに対応する検索領域、ダウンリンク制御シグナリングに対応するＣＲＣスクランブリング方式、アップリンク伝送モードの少なくとも一つに基づきアップリンクＭＣＳ表を選択する際に、前記方法は、
前記基地局は端末にアップリンク伝送モード１を設定し、或いはＤＣＩ formatをＤＣＩ format ０のみとして設定する際に、ダウンリンク制御シグナリングに対応する検索領域が共通検索領域であると、前記基地局はＭ次変調方式をサポートしないアップリンクＭＣＳ表を選択すること、ダウンリンク制御シグナリングに対応する検索領域がＵＥ特有検索領域であると、基地局はＭ次変調方式をサポートするアップリンクＭＣＳ表を選択すること、
前記基地局は端末にアップリンク伝送モード１を設定し、或いはＤＣＩ formatをＤＣＩ format ０のみとして設定する際に、ダウンリンク制御シグナリングに対応するＣＲＣスクランブリング方式がＳＰＳ Ｃ-ＲＮＴＩスクランブリングであると、前記基地局はＭ次変調方式をサポートしないアップリンクＭＣＳ表を選択すること、ダウンリンク制御シグナリングに対応するＣＲＣスクランブリング方式がＣ-ＲＮＴＩスクランブリングであると、前記基地局はＭ次変調方式をサポートするアップリンクＭＣＳ表を選択すること、
前記基地局は端末にアップリンク伝送モード１を設定し、或いはＤＣＩ formatをＤＣＩ format ０のみとして設定する際に、ダウンリンク制御シグナリングに対応する検索領域が共通検索領域であると、前記基地局はＭ次変調方式をサポートしないアップリンクＭＣＳ表を選択すること、ダウンリンク制御シグナリングに対応する検索領域がＵＥ特有検索領域であり且つＣＲＣスクランブリング方式がＳＰＳ Ｃ-ＲＮＴＩスクランブリングであると、基地局はＭ次変調方式をサポートしないアップリンクＭＣＳ表を選択すること、ダウンリンク制御シグナリングに対応する検索領域がＵＥ特有検索領域であり且つＣＲＣスクランブリング方式がＣ-ＲＮＴＩスクランブリングであると、基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つ前記ダウンリンク制御シグナリングに対応する検索領域が共通検索領域であると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つダウンリンク制御シグナリングに対応するＣＲＣスクランブリング方式がＳＰＳ Ｃ-ＲＮＴＩスクランブリングであると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応するＣＲＣスクランブリング方式がＣ-ＲＮＴＩスクランブリングであると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つダウンリンク制御シグナリングに対応する検索領域が共通検索領域であると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であり、ＣＲＣスクランブリング方式はＳＰＳ Ｃ-ＲＮＴＩスクランブリングであると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＣ-ＲＮＴＩスクランブリングであると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンク表を選択すること、
前記基地局は端末にアップリンク伝送モード２を設定して、或いはＤＣＩ format ０とＤＣＩ format ４の２種のＤＣＩ formatを設定する際に、前記基地局はＤＣＩ format ０によってダウンリンク制御シグナリングを送信すると、前記基地局はＭ次変調方式をサポートしないアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、の少なくとも一つを更に含み、
又は、
前記基地局は設定した或いは予め定義されたアップリンクサブフレームセットに基づきアップリンクＭＣＳ表を選択する際に、前記方法は、
サブフレームセット２とサブフレームセット３に対して、前記基地局はそれぞれＭ次変調方式をサポートする又はサポートしないアップリンクＭＣＳ表を設定して、前記サブフレームセット２と３は基地局が設定したアップリンクサブフレームセット、或いは予め定義されたサブフレームセットであること、
基地局はサブフレームセット２だけにＭ次変調方式をサポートする又はサポートしないアップリンクＭＣＳ表を設定して、サブフレームセット３はＭ次変調方式をサポートしないアップリンクＭＣＳ表を使用すること、
基地局はサブフレームセット３だけにＭ次変調方式をサポートする又はサポートしないアップリンクＭＣＳ表を設定して、サブフレームセット２はＭ次変調方式をサポートしないアップリンクＭＣＳ表を使用すること、の少なくとも一つを更に含む請求項６に記載の方法。
【請求項１０】
基地局はＭ次変調方式をサポートするＭＣＳ表を選択する際に、端末は基地局が送信したダウンリンク制御シグナリングを受信し、前記ダウンリンク制御シグナリングは伝送電力制御指令ＴＰＣ commandドメインを少なくとも含み、前記ＴＰＣ commandドメインは、
前記ダウンリンク制御シグナリングはＤＣＩ format ３Ａによって送信される際に、前記ＴＰＣ commandドメインはＮ１ビットで示され、Ｎ１は１以上の正の整数であり、且つＴＰＣ commandドメインに対応するＴＰＣ command数値は−１と１を除いた他の整数を含む特徴、
前記ダウンリンク制御シグナリングはＤＣＩ format ３Ａを除いた他のＤＣＩ formatによって送信される際に、前記ＴＰＣ commandドメインはＮ２ビットで示され、Ｎ２は２以上の正の整数であり、且つＴＰＣ commandドメインに対応するＴＰＣ command数値は−１，０，１，３を除いた他の整数を含む特徴、の一つを少なくとも含む請求項６に記載の方法。
【請求項１１】
伝送タイプと予め定義された情報に基づき変調とコーディングのポリシーのＭＣＳ表を選択するように設定され、前記ＭＣＳ表はＭ次変調方式をサポートするＭＣＳ表及びＭ次変調方式をサポートしないＭＣＳ表を含み、Ｍ＞６４である選択モジュールと、
端末にダウンリンク制御シグナリングを送信するように設定され、前記ダウンリンク制御シグナリングは変調とコーディング方式のドメインＩMCSの少なくとも一つを含み、前記変調とコーディング方式のドメインＩMCSは基地局により選択したＭ次変調方式をサポートする又はサポートしないＭＣＳ表に基づくものである送信モジュールと、を含み、
前記選択モジュールはさらに、前記伝送タイプがダウンリンク伝送である際に、前記予め定義された情報に基づきダウンリンクＭＣＳ表を選択するように設定され、前記予め定義された情報はサブフレームセットに設定した表タイプを含み、前記表タイプは前記Ｍ次変調方式をサポートするＭＣＳ表又はＭ次変調方式をサポートしないＭＣＳ表であり、
又は、
前記選択モジュールは、前記伝送タイプがアップリンク伝送である際に、予め定義された情報に基づきアップリンクＭＣＳ表を選択するように設定され、前記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩMCSを含むＤＣＩのＤＣＩフォーマット(ＤＣＩ format)、
変調とコーディング方式のドメインＩMCSを含むダウンリンク制御シグナリングに対応する、共通検索領域、ＵＥ特有検索領域の少なくとも一つを含む検索領域、
変調とコーディング方式のドメインＩMCSを含むダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、の少なくとも一つを含む高次コーディングの変調処理装置。
【請求項１２】
基地局が送信したダウンリンク制御シグナリングを受信するように設定され、前記ダウンリンク制御シグナリングは変調とコーディング方式のドメインＩMCSの少なくとも一つを含み、前記変調とコーディング方式のドメインＩMCSは基地局が伝送タイプと予め定義された情報に基づき選択したＭＣＳ表に基づくものであり、前記ＭＣＳ表はＭ次変調方式をサポートするＭＣＳ表及びＭ次変調方式をサポートしないＭＣＳ表を含み、Ｍ＞６４である受信モジュールと、
変調とコーディング方式のドメインＩMCSに基づきアップリンクデータのコーディング変調を実行するように設定され、或いは変調とコーディング方式のドメインＩMCSに基づきダウンリンクデータの復調復号を実行するように設定されるデータ処理モジュールと、を含み、
前記受信モジュールはさらに、前記伝送タイプがダウンリンク伝送であり、前記基地局は前記予め定義された情報に基づきダウンリンクＭＣＳ表を選択し、且つ前記予め定義された情報は、
サブフレームセットに設定した表タイプを含む際に、変調とコーディング方式のドメインＩMCSを受信するように設定され、前記表タイプは前記Ｍ次変調方式をサポートするＭＣＳ表又はＭ次変調方式をサポートしないＭＣＳ表であり、
又は、
前記受信モジュールはさらに、前記伝送タイプがアップリンク伝送であり、前記基地局は前記予め定義された情報に基づきダウンリンクＭＣＳ表を選択して、且つ前記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩMCSを含むＤＣＩのＤＣＩフォーマット(ＤＣＩ format)、
変調とコーディング方式のドメインＩMCSを含むダウンリンク制御シグナリングに対応する、共通検索領域、ＵＥ特有検索領域の少なくとも一つを含む検索領域、
変調とコーディング方式のドメインＩMCSを含むダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、の少なくとも一つを含む際に、変調とコーディング方式のドメインＩMCSを受信するように設定される高次コーディングの変調処理装置。
【請求項１３】
請求項１１に記載の装置を含む基地局。
【請求項１４】
請求項１２に記載の装置を含む端末。
【発明の詳細な説明】
【技術分野】
【０００１】
本発明は通信分野に関し、特に高次コーディングの変調処理方法及び装置、基地局、端末に関する。
【背景技術】
【０００２】
移動通信システムでは、ワイヤレスフェージングチャンネルの時間的に変化する特徴のため、通信過程において多量の不確定性が存在する。一方、システムスループットを向上させるために、伝送速度が高い高次変調と少ない冗長エラー訂正コードを採用して通信を行い、このようにワイヤレスフェージングチャンネルの信号対雑音比が比較的理想的である際は、システムスループットを確実に大幅に向上させるが、しかしながらチャンネルが深くフェージングする際は、通信を信頼性を有して安定的に行うことを保障できない。他方、通信の信頼性を保障するために、伝送速度が低い低次変調と大きい冗長エラー訂正コードを採用して通信を行い、即ち無線チャンネルが深くフェージングする際に通信を信頼性を有して安定的に行うことを保障するが、しかしながらチャンネルの信号対雑音が比較的高い際は、伝送速度が低いため、システムスループットの向上を制約することになり、リソースの無駄を引き起こす。移動通信技術の発展初期においては、人々がワイヤレスフェージングチャンネルの時間的に変化する特性に対抗することは、せいぜい送信機の送信電力を増大して、低次の大きい冗長的変調コーディング方法を使用することであり、システムのチャンネルが深くフェージングする際の通信品質を保障するだけで、さらに、システムのスループットを如何に向上させるかについて考える余裕がなかった。技術レベルの進歩に伴って、チャンネル状態に基づき適応的にその送信電力、変調コーディング方式及びデータのフレーム長を調整することによってチャンネルの時間変化特性を克服することで、最適な通信効果を得る技術が現れ、適応型コーディング変調技術と呼ばれ、最も典型的なリンク適応型技術に属する。
【０００３】
長期進化（ＬＴＥ：Long Term Evolution）システムにおいて、ダウンリンクの適応型コーディング変調技術を実現するために、アップリンクはチャンネル状態情報（ＣＳＩ：Channel State Information）が含まれる制御シグナリングを伝送する必要がある。ＣＳＩは、チャンネル品質指示（ＣＱＩ：Channel quality indication）、プリコーディング行列指示（ＰＭＩ：Pre-coding Matrix Indicator）及びランク指示（ＲＩ：Rank Indicator）を含む。ＣＳＩは、ダウンリンク物理チャンネル状態を反映する。基地局は、ＣＳＩを利用してダウンリンクスケジューリングを行い、データのコーディング変調を行う。
【０００４】
基地局は、端末が報告したＣＳＩを結合してスケジューリングし、且つダウンリンク変調コーディング方式（ＭＣＳ：Modulation and Coding Scheme）インデックスとリソース割り当て情報を確定する。具体的に、Rel-８のＬＴＥプロトコルは物理ダウンリンク共有チャンネル（ＰＤＳＣＨ：Physical Downlink Shared Channel）に一つの変調及びトランスポートブロックサイズ表（Modulation and TBS index table for PDSCH、以下でダウンリンクＭＣＳ表とも呼ばれる）を定義した。表は合計で３２レベルがあり、基本的に、各レベルは一つのＭＣＳインデックスに対応して、各ＭＣＳインデックスは本質的に１種のＭＣＳに対応する。リソース割り当て情報は、ダウンリンク伝送に占用する必要がある物理リソースブロック個数(ＮＰＲＢ:Number Physical Resource Block)を与える。ＬＴＥ標準は更に一つのトランスポートブロックサイズ（ＴＢＳ：Transport block size）表を提供する。前記表に応じて、ＭＣＳインデックスとＮＰＲＢを指定した後にＴＢＳを取得することができる。これらのコーディング変調パラメータ（ＭＣＳ/ＮＰＲＢ/ＴＢＳ）を有すると、基地局はダウンリンクデータのコーディング変調を行い、ダウンリンク伝送を行うことができる。
【０００５】
端末は、ダウンリンク伝送されたデータを受信した後に、データの処理に用いるために、ダウンリンク伝送されるＭＣＳインデックスとリソース割り当て情報を受信する必要がある。基地局は、ダウンリンク制御情報（ＤＣＩ：Downlink Control Information）によって、ＭＣＳインデックスとリソース割り当て情報を送信する。基地局は、特定の無線ネットワーク一時的アイデンティティ（ＲＮＴＩ：Radio Network Temporary Identity）を使用して、ダウンリンク制御情報に対応する周期的冗長検査（ＣＲＣ）ビットをスクランブルする。物理ダウンリンク制御チャンネル（ＰＤＣＣＨ：Physical Downlink Control Channel）によって、特定のダウンリンク制御情報フォーマット（ＤＣＩ format）でダウンリンク制御情報を送信する。端末は、共通検索領域（ＣＳＳ：Common Search Space）とユーザー装置(ＵＥ：User Equipment)特有検索領域（ＵＳＳ：UE-specific Search Space）をブラインド検索してダウンリンク制御情報を取得する。端末は、ダウンリンク制御情報を取得した後に、ＴＢＳ表に基づきＴＢＳを取得し、且つ復調及び復号に用いられる。
【０００６】
無線ネットワーク一時的アイデンティティは多種があり、半永続スケジューリング（ＳＰＳ：Semi-persistent Scheduling）、セル無線ネットワーク一時的アイデンティティ（ＳＰＳ Ｃ-ＲＮＴＩ：Semi-persistent Scheduling Cell RNTI）、セル無線ネットワーク一時的アイデンティティ（Ｃ-ＲＮＴＩ：Cell RNTI）などを含む。ＰＤＳＣＨに関するＤＣＩフォーマットは、ＤＣＩ format １、ＤＣＩ format １Ａ、ＤＣＩ format １Ｂ、ＤＣＩ format １Ｃ、ＤＣＩ format １Ｄ、ＤＣＩ format ２、ＤＣＩ format ２Ａ、ＤＣＩ format ２Ｂ、ＤＣＩ format ２Ｃ、ＤＣＩ format ２Ｄなどを含む。
【０００７】
アップリンクの適応型コーディング変調技術に対して、基地局は、ＵＥアップリンクにより送信したサウンディング参照信号（ＳＲＳ：Sounding Reference Signal）によって、アップリンクチャンネルパラメータを取得でき、且つ取得したチャンネルパラメータに基づいてＵＥのアップリンク伝送にＭＣＳインデックスとリソース割り当て情報を確定する。具体的に、Rel-８のＬＴＥプロトコルは、物理アップリンク共有チャンネル（ＰＵＳＣＨ：Physical Uplink Shared Channel）に一つの変調とトランスポートブロックサイズ表（Modulation and TBS index table for PUSCH、以下でアップリンクＭＣＳ表とも呼ばれる）を定義する。基地局は、ダウンリンク制御情報によって、ＭＣＳインデックスとリソース割り当て情報を送信する。端末は、これらの情報を利用してアップリンクデータのコーディング変調を行うことができ、且つ対応するＰＵＳＣＨリソースにアップリンクデータを送信する。ＰＵＳＣＨに関するＤＣＩフォーマットは、ＤＣＩ format ０，ＤＣＩ format ３，ＤＣＩ format ３Ａ，ＤＣＩ format ４を含む。なお、ダウンリンクＭＣＳ表とアップリンクＭＣＳ表とは、ＭＣＳ表と総称されることができる。
【０００８】
ＬＴＥシステムは、Rel-８/９/１０/１１のいくつかのバージョンを経た後に、また連続してＲ１２技術を研究する。従来のRel-１１標準において、アップリンクとダウンリンクとは最も高く６４直交振幅変調(ＱＡＭ： Quadrature Amplitude Modulation)の変調コーディング方式をサポートする。異種ネットワークの発展に伴って、スモールセル（small cell）はより高いデータ伝送速度とより高いシステムスペクトル効率を必要とし、より高次の変調コーディング方式、例えば２５６ＱＡＭを導入することを求める。従来の標準は、このような需要を満たすことができない。例えば、従来のＬＴＥ標準の通常のテーブル、即ちＣＱＩ表/ＭＣＳ表/ＴＢＳ表は、最も高く６４ＱＡＭの変調コーディング方式及び約５.５５４７bit/s/Hzのスペクトル効率をサポートする。
【０００９】
上記ＬＴＥシステムの例で表すように、通常のテーブル（即ち従来のＣＱＩ表、ＭＣＳ表、ＴＢＳ表）は、より高次の変調方式をサポートすることができない。従来の通信システムに、例えば、２５６ＱＡＭ、１０２４ＱＡＭといった高次変調方式を導入した後は、高次変調方式をサポートする拡張テーブル（新しいＣＱＩ表、ＭＣＳ表、ＴＢＳ表）を設計する必要がある。
【００１０】
現在、通信システムの通常のテーブルは、より高次の変調方式をサポートすることができなく、具体的な高次変調方式拡張テーブルと通常のテーブルの設定使用問題を解決しない。このため、現在、通信システムは、より高次の変調方式をサポートできない。チャンネル条件がよく、より高次の変調方式を応用するシーン、例えばスモールセル（Small Cell）シーンにおいて、データ伝送ピーク速度及びシステムスペクトル効率の向上を制限してしまう。
【発明の概要】
【発明が解決しようとする課題】
【００１１】
関連技術における通常のテーブルでは、より高次の変調方式をサポートできないという技術的課題について、本発明は、高次コーディングの変調処理方法及び装置、基地局、端末を提供する。
【課題を解決するための手段】
【００１２】
上記目的を達成するために、本発明の一実施例によれば、高次コーディングの変調処理方法を提供し、
基地局は伝送タイプと予め定義された情報に基づき変調とコーディングポリシーのＭＣＳ表を選択し、前記ＭＣＳ表はＭ次変調方式をサポートするＭＣＳ表、及びＭ次変調方式をサポートしないＭＣＳ表を含み、Ｍ＞６４であるステップと、
前記基地局は端末にダウンリンク制御シグナリングを送信し、前記ダウンリンク制御シグナリングは変調とコーディング方式のドメインＩＭＣＳを含み、前記ＩＭＣＳは基地局により選択したＭ次変調方式をサポートする又はサポートしないＭＣＳ表に基づくものであるステップと、を含む。
【００１３】
例示する実施例において、基地局が伝送タイプと予め定義された情報に基づき変調とコーディングポリシーのＭＣＳ表を選択することは、
前記伝送タイプがダウンリンク伝送である際に、前記基地局は前記予め定義された情報に基づきダウンリンクＭＣＳ表を選択することを含み、前記予め定義された情報はサブフレームセットに設定した表タイプを含み、前記表タイプは前記Ｍ次変調方式をサポートするチャンネル品質指示(ＣＱＩ)表又はＭ次変調方式をサポートしないＣＱＩ表である。
【００１４】
例示する実施例において、前記サブフレームセットは前記基地局が設定したサブフレームセット０及び/又はサブフレームセット１を含む。
【００１５】
例示する実施例において、前記基地局がサブフレームセットに設定した表タイプに基づきダウンリンクＭＣＳ表を選択する際に、前記方法は、
サブフレームセット０又は/及びサブフレームセット１にＭ次変調方式をサポートするチャンネル品質指示ＣＱＩ表を設定する際に、ダウンリンクサブフレームはＭ次変調方式をサポートするＭＣＳ表を使用すること、
サブフレームセットｉにＭ次変調方式をサポートするＣＱＩ表を設定して、サブフレームセットｉはＭ次変調方式をサポートするＭＣＳ表を使用すること、サブフレームセットｉにＭ次変調方式をサポートしないＣＱＩ表を設定して、サブフレームセットｉはＭ次変調方式をサポートしないＭＣＳ表を使用することの少なくとも一つを更に含み、
ｉ＝０，１であること、サブフレームセット０とサブフレームセット１を除いたサブフレームに対して、
専有の高レベルのシグナリングによってＭ次変調方式をサポートする又はサポートしないＭＣＳ表を設定すること、
Ｍ次変調方式をサポートしないＭＣＳ表を使用するように予め定義されたこと、の少なくとも一つを含むこと、
サブフレームセット０とサブフレームセット１の少なくとも一つにＭ次変調方式をサポートするＣＱＩ表を設定する際に、Ｍ次変調方式をサポートするＭＣＳ表を使用すること、の少なくとも一つを更に含む。
【００１６】
例示する実施例において、基地局が伝送タイプと予め定義された情報に基づき変調とコーディングポリシーのＭＣＳ表を選択することは、
前記伝送タイプがアップリンク伝送である際に、前記基地局は予め定義された情報に基づきアップリンクＭＣＳ表を選択することを含み、前記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩＭＣＳを含むＤＣＩフォーマット(ＤＣＩ format)、
変調とコーディング方式のドメインＩＭＣＳを含むダウンリンク制御シグナリングに対応する、共通検索領域、ＵＥ特有検索領域の少なくとも一つを含む検索領域、
変調とコーディング方式のドメインＩＭＣＳを含むダウンリンク制御シグナリングに対応する、半永続スケジューリングセル無線ネットワーク一時的アイデンティティＳＰＳ Ｃ-ＲＮＴＩスクランブリング、セル無線ネットワーク一時的アイデンティティＣ-ＲＮＴＩスクランブリングの少なくとも一つを含む周期的冗長検査ＣＲＣスクランブリング方式、
アップリンク伝送モード、
基地局に設定したアップリンクサブフレームセット、
予め定義されたアップリンクサブフレームセット、の少なくとも一つを含む。
【００１７】
例示する実施例において、前記ＤＣＩ formatは、ＤＣＩ format ０，ＤＣＩ format ４の少なくとも一つを含む。
【００１８】
例示する実施例において、前記基地局が、ダウンリンク伝送である際に設定した表タイプに基づきアップリンクＭＣＳ表を選択する際に、前記方法は、
ダウンリンク伝送にＭ次変調方式をサポートするＣＱＩ表及び/又はＭ次変調方式をサポートするＭＣＳ表を設定する際に、特定のシーンのアップリンク伝送にＭ次変調方式をサポートするアップリンクＭＣＳ表を設定すること、
ダウンリンク伝送にＭ次変調方式をサポートするＣＱＩ表及び/又はＭ次変調方式をサポートするＭＣＳ表を設定し、且つ特定のシーンのアップリンク伝送は物理アップリンク共有チャンネルＰＵＳＣＨにチャンネル状態情報ＣＳＩを送信する際に、該アップリンク伝送にＭ次変調方式をサポートしないアップリンクＭＣＳ表を設定すること、
基地局が送信した設定シグナリングによって前記アップリンク伝送にＭ次変調方式をサポートする又はサポートしないアップリンクＭＣＳ表を選択すること、の少なくとも一つを更に含む。
【００１９】
例示する実施例において、前記特定のシーンは時分割複信ＴＤＤ伝送を含む。
【００２０】
例示する実施例において、前記基地局が、ＤＣＩフォーマット(ＤＣＩ format)、ダウンリンク制御シグナリングに対応する検索領域、ダウンリンク制御シグナリングに対応するＣＲＣスクランブリング方式、アップリンク伝送モードの少なくとも一つに基づきアップリンクＭＣＳ表を選択する際に、前記方法は、
前記基地局は端末にアップリンク伝送モード１を設定し、或いはＤＣＩ formatをＤＣＩ format ０のみとして設定する際に、ダウンリンク制御シグナリングに対応する検索領域が共通検索領域であると、前記基地局はＭ次変調方式をサポートしないアップリンクＭＣＳ表を選択すること、ダウンリンク制御シグナリングに対応する検索領域がＵＥ特有検索領域であると、基地局はＭ次変調方式をサポートするアップリンクＭＣＳ表を選択すること、
前記基地局は端末にアップリンク伝送モード１を設定し、或いはＤＣＩ formatをＤＣＩ format ０のみとして設定する際に、ダウンリンク制御シグナリングに対応するＣＲＣスクランブリング方式がＳＰＳ Ｃ-ＲＮＴＩスクランブリングであると、前記基地局はＭ次変調方式をサポートしないアップリンクＭＣＳ表を選択すること、ダウンリンク制御シグナリングに対応するＣＲＣスクランブリング方式がＣ-ＲＮＴＩスクランブリングであると、前記基地局はＭ次変調方式をサポートするアップリンクＭＣＳ表を選択すること、
前記基地局は端末にアップリンク伝送モード１を設定し、或いはＤＣＩ formatをＤＣＩ format ０のみとして設定する際に、ダウンリンク制御シグナリングに対応する検索領域が共通検索領域であると、前記基地局はＭ次変調方式をサポートしないアップリンクＭＣＳ表を選択すること、ダウンリンク制御シグナリングに対応する検索領域がＵＥ特有検索領域で且つＣＲＣスクランブリング方式がＳＰＳ Ｃ-ＲＮＴＩスクランブリングであると、基地局はＭ次変調方式をサポートしないアップリンクＭＣＳ表を選択すること、ダウンリンク制御シグナリングに対応する検索領域がＵＥ特有検索領域で且つＣＲＣスクランブリング方式がＣ-ＲＮＴＩスクランブリングであると、基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つ前記ダウンリンク制御シグナリングに対応する検索領域が共通検索領域であると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つダウンリンク制御シグナリングに対応するＣＲＣスクランブリング方式がＳＰＳ Ｃ-ＲＮＴＩスクランブリングであると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応するＣＲＣスクランブリング方式がＣ-ＲＮＴＩスクランブリングであると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つダウンリンク制御シグナリングに対応する検索領域が共通検索領域であると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＳＰＳ Ｃ-ＲＮＴＩスクランブリングであると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＣ-ＲＮＴＩスクランブリングであると、前記基地局はＭ次変調方式をサポートするアップリンクＭＣＳ表を選択すること、基地局はＤＣＩ format ４によってダウンリンク制御シグナリングを送信すると、基地局はＭ次変調方式をサポートするアップリンク表を選択すること、
前記基地局は端末にアップリンク伝送モード２を設定して、或いはＤＣＩ format ０とＤＣＩ format ４の２種のＤＣＩ formatを設定する際に、前記基地局はＤＣＩ format ０によってダウンリンク制御シグナリングを送信すると、前記基地局はＭ次変調方式をサポートしないアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、の少なくとも一つを更に含む。
【００２１】
前記基地局が、前記基地局が設定した或いは予め定義されたアップリンクサブフレームセットに基づきアップリンクＭＣＳ表を選択する際に、前記方法は、
サブフレームセット２とサブフレームセット３に対して、前記基地局はそれぞれＭ次変調方式をサポートする又はサポートしないアップリンクＭＣＳ表を設定して、前記サブフレームセット２と３は基地局が設定したアップリンクサブフレームセット、或いは予め定義されたサブフレームセットであること、
基地局はサブフレームセット２だけにＭ次変調方式をサポートする又はサポートしないアップリンクＭＣＳ表を設定して、サブフレームセット３はＭ次変調方式をサポートしないアップリンクＭＣＳ表を使用すること、
基地局はサブフレームセット３だけにＭ次変調方式をサポートする又はサポートしないアップリンクＭＣＳ表を設定して、サブフレームセット２はＭ次変調方式をサポートしないアップリンクＭＣＳ表を使用すること、の少なくとも一つを更に含む。
【００２２】
例示する実施例において、基地局は伝送タイプと予め定義された情報に基づきＭ次変調方式をサポートする変調とコーディングポリシーのＭＣＳ表を選択した後に、基地局は端末に前記基地局が端末に送信した前記ダウンリンク制御シグナリングを送信し、前記ダウンリンク制御シグナリングは伝送電力制御指令ＴＰＣ commandドメインを含み、前記ＴＰＣ commandドメインは、以下の特徴の一つを少なくとも含み、その特徴は、
前記ダウンリンク制御シグナリングはＤＣＩ format ３Ａによって送信される際に、前記ＴＰＣ commandドメインはＮ１ビットで示され、Ｎ１は１以上の正の整数であり、且つＴＰＣ commandドメインに対応するＴＰＣ command数値は−１と１を除いた整数を含む特徴、
前記ダウンリンク制御シグナリングはＤＣＩ format ３Ａを除いたＤＣＩ formatによって送信される際に、前記ＴＰＣ commandドメインはＮ２ビットで示され、Ｎ２は２以上の正の整数であり、且つＴＰＣ commandドメインに対応するＴＰＣ command数値は−１，０，１，３を除いた整数を含む特徴、である。
【００２３】
上記の目的を達成するために、本発明の他の実施例によれば、高次コーディングの変調処理方法を更に提供し、
端末は基地局が送信したダウンリンク制御シグナリングを受信し、前記ダウンリンク制御シグナリングは変調とコーディング方式のドメインＩＭＣＳを含み、前記ＩＭＣＳは、基地局が伝送タイプと予め定義された情報に基づき選択したＭＣＳ表に基づくものであり、前記ＭＣＳ表は、Ｍ次変調方式をサポートするＭＣＳ表、及びＭ次変調方式をサポートしないＭＣＳ表を含み、Ｍ＞６４であるステップと、
前記端末はＩＭＣＳに基づきアップリンクデータのコーディング変調を実行し、或いはダウンリンクデータの復調及び復号を実行するステップと、を含む。
【００２４】
例示する実施例において、前記伝送タイプがダウンリンク伝送である際に、前記基地局は前記予め定義された情報に基づきダウンリンクＭＣＳ表を選択し、前記予め定義された情報は、
サブフレームセットに設定した表タイプを含み、前記表タイプは前記Ｍ次変調方式をサポートするチャンネル品質指示ＣＱＩ表又はＭ次変調方式をサポートしないＣＱＩ表である。
【００２５】
例示する実施例において、前記サブフレームセットは前記基地局が設定したサブフレームセット０及び/又はサブフレームセット１を含む。
【００２６】
例示する実施例において、前記伝送タイプがダウンリンク伝送であり、且つ前記基地局が選択したＭＣＳ表がダウンリンクＭＣＳ表である際に、前記方法は、
サブフレームセット０又は/及びサブフレームセット１にＭ次変調方式をサポートするＣＱＩ表を設定する際に、ダウンリンクサブフレームはＭ次変調方式をサポートするＭＣＳ表を使用すること、
サブフレームセットｉにＭ次変調方式をサポートするＣＱＩ表を設定する際に、サブフレームセットｉはＭ次変調方式をサポートするＭＣＳ表を使用すること、サブフレームセットｉにＭ次変調方式をサポートしないＣＱＩ表を設定する際に、サブフレームセットｉはＭ次変調方式をサポートしないＭＣＳ表を使用すること、ｉ＝０，１であり、サブフレームセット０とサブフレームセット１を除いたサブフレームに対して、
専有の高レベルのシグナリングによってＭ次変調方式をサポートする又はサポートしないＭＣＳ表を設定すること、
Ｍ次変調方式をサポートしないＭＣＳ表を使用するように予め定義されたこと、の少なくとも一つを含むこと、
サブフレームセット０とサブフレームセット１の少なくとも一つにＭ次変調方式をサポートするＣＱＩ表を設定する際に、Ｍ次変調方式をサポートするＭＣＳ表を使用すること、の少なくとも一つを更に含む。
【００２７】
例示する実施例において、前記伝送タイプがアップリンク伝送である際に、前記基地局は前記予め定義された情報に基づきアップリンクＭＣＳ表を選択し、前記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩＭＣＳを含むＤＣＩフォーマット(ＤＣＩ format)、
変調とコーディング方式のドメインＩＭＣＳを含むダウンリンク制御シグナリングに対応する、共通検索領域、ＵＥ特有検索領域の少なくとも一つを含む検索領域、
変調とコーディング方式のドメインＩＭＣＳを含むダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、の少なくとも一つを含む。
【００２８】
例示する実施例において、前記ＤＣＩ formatは、ＤＣＩ format ０，ＤＣＩ format ４の少なくとも一つを含む。
【００２９】
例示する実施例において、前記基地局はダウンリンク伝送である際に設定した表タイプに基づきアップリンクＭＣＳ表を選択する際に、前記方法は、
ダウンリンク伝送にＭ次変調方式をサポートするＣＱＩ表及び/又はＭ次変調方式をサポートするＭＣＳ表を設定する際に、特定のシーンのアップリンク伝送にＭ次変調方式をサポートするアップリンクＭＣＳ表を設定すること、
ダウンリンク伝送にＭ次変調方式をサポートするＣＱＩ表及び/又はＭ次変調方式をサポートするＭＣＳ表を設定し、且つ特定のシーンのアップリンク伝送は物理アップリンク共有チャンネルＰＵＳＣＨにチャンネル状態情報ＣＳＩを送信する際に、該アップリンク伝送にＭ次変調方式をサポートしないアップリンクＭＣＳ表を設定すること、
基地局が送信した設定シグナリングによって前記アップリンク伝送にＭ次変調方式をサポートする又はサポートしないアップリンクＭＣＳ表を選択すること、の少なくとも一つを更に含む。
【００３０】
例示する実施例において、前記特定のシーンは時分割複信ＴＤＤ伝送を含む。
【００３１】
例示する実施例において、前記基地局はＤＣＩフォーマット(ＤＣＩ format)、ダウンリンク制御シグナリングに対応する検索領域、ダウンリンク制御シグナリングに対応するＣＲＣスクランブリング方式、アップリンク伝送モードの少なくとも一つに基づきアップリンクＭＣＳ表を選択する際に、前記方法は、
前記基地局は端末にアップリンク伝送モード１を設定し、或いはＤＣＩ formatをＤＣＩ format ０のみとして設定する際に、ダウンリンク制御シグナリングに対応する検索領域が共通検索領域であると、前記基地局はＭ次変調方式をサポートしないアップリンクＭＣＳ表を選択すること、ダウンリンク制御シグナリングに対応する検索領域がＵＥ特有検索領域であると、基地局はＭ次変調方式をサポートするアップリンクＭＣＳ表を選択すること、
前記基地局は端末にアップリンク伝送モード１を設定し、或いはＤＣＩ formatをＤＣＩ format ０のみとして設定する際に、ダウンリンク制御シグナリングに対応するＣＲＣスクランブリング方式がＳＰＳ Ｃ-ＲＮＴＩスクランブリングであると、前記基地局はＭ次変調方式をサポートしないアップリンクＭＣＳ表を選択すること、ダウンリンク制御シグナリングに対応するＣＲＣスクランブリング方式がＣ-ＲＮＴＩスクランブリングであると、前記基地局はＭ次変調方式をサポートするアップリンクＭＣＳ表を選択すること、
前記基地局は端末にアップリンク伝送モード１を設定し、或いはＤＣＩ formatをＤＣＩ format ０のみとして設定する際に、ダウンリンク制御シグナリングに対応する検索領域が共通検索領域であると、前記基地局はＭ次変調方式をサポートしないアップリンクＭＣＳ表を選択すること、ダウンリンク制御シグナリングに対応する検索領域がＵＥ特有検索領域で且つＣＲＣスクランブリング方式がＳＰＳ Ｃ-ＲＮＴＩスクランブリングであると、基地局はＭ次変調方式をサポートしないアップリンクＭＣＳ表を選択すること、ダウンリンク制御シグナリングに対応する検索領域がＵＥ特有検索領域で且つＣＲＣスクランブリング方式がＣ-ＲＮＴＩスクランブリングであると、基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つ前記ダウンリンク制御シグナリングに対応する検索領域が共通検索領域であると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つダウンリンク制御シグナリングに対応するＣＲＣスクランブリング方式がＳＰＳ Ｃ-ＲＮＴＩスクランブリングであると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応するＣＲＣスクランブリング方式がＣ-ＲＮＴＩスクランブリングであると、前記基地局はＭ次変調方式をサポートするアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、
前記基地局は端末にアップリンク伝送モード２を設定し、或いはＤＣＩ format ０とＤＣＩ format ４の２種のＤＣＩ formatを設定する際に、前記基地局はＤＣＩ format ０によってダウンリンク制御シグナリングを送信して、且つダウンリンク制御シグナリングに対応する検索領域が共通検索領域であると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＳＰＳ Ｃ-ＲＮＴＩスクランブリングであると、前記基地局はＭ次変調方式をサポートしないアップリンクＭＣＳ表を選択すること、前記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＣ-ＲＮＴＩスクランブリングであると、前記基地局はＭ次変調方式をサポートするアップリンクＭＣＳ表を選択すること、基地局はＤＣＩ format ４によってダウンリンク制御シグナリングを送信すると、基地局はＭ次変調方式をサポートするアップリンク表を選択すること、
前記基地局は端末にアップリンク伝送モード２を設定して、或いはＤＣＩ format ０とＤＣＩ format ４の２種のＤＣＩ formatを設定する際に、前記基地局はＤＣＩ format ０によってダウンリンク制御シグナリングを送信すると、前記基地局はＭ次変調方式をサポートしないアップリンクＭＣＳ表を選択すること、前記基地局はＤＣＩ format ４によってダウンリンク制御シグナリングを送信すると、前記基地局はＭ次変調方式をサポートするアップリンクＭＣＳ表を選択すること、の少なくとも一つを更に含む。
【００３２】
例示する実施例において、前記基地局は設定した或いは予め定義されたアップリンクサブフレームセットに基づきアップリンクＭＣＳ表を選択する際に、前記方法は、
サブフレームセット２とサブフレームセット３に対して、前記基地局はそれぞれＭ次変調方式をサポートする又はサポートしないアップリンクＭＣＳ表を設定して、前記サブフレームセット２と３は基地局が設定したアップリンクサブフレームセット、或いは予め定義されたサブフレームセットであること、
基地局はサブフレームセット２だけにＭ次変調方式をサポートする又はサポートしないアップリンクＭＣＳ表を設定して、サブフレームセット３はＭ次変調方式をサポートしないアップリンクＭＣＳ表を使用すること、
基地局はサブフレームセット３だけにＭ次変調方式をサポートする又はサポートしないアップリンクＭＣＳ表を設定して、サブフレームセット２はＭ次変調方式をサポートしないアップリンクＭＣＳ表を使用すること、の少なくとも一つを更に含む。
【００３３】
例示する実施例において、基地局はＭ次変調方式をサポートするＭＣＳ表を選択する際に、端末は基地局が送信したダウンリンク制御シグナリングを受信し、前記ダウンリンク制御シグナリングは伝送電力制御指令ＴＰＣ commandドメインを少なくとも含み、前記ＴＰＣ commandドメインは、少なくとも以下の特徴の一つを含み、その特徴は、
前記ダウンリンク制御シグナリングはＤＣＩ format ３Ａによって送信される際に、前記ＴＰＣ commandドメインはＮ１ビットで示され、Ｎ１は１以上の正の整数であり、且つＴＰＣ commandドメインに対応するＴＰＣ command数値は−１と１を除いた整数を含む特徴、
前記ダウンリンク制御シグナリングはＤＣＩ format ３Ａを除いたＤＣＩ formatによって送信される際に、前記ＴＰＣ commandドメインはＮ２ビットで示され、Ｎ２は２以上の正の整数であり、且つＴＰＣ commandドメインに対応するＴＰＣ command数値は−１，０，１，３を除いた整数を含む特徴、である。
【００３４】
上記の目的を達成するために、本発明のさらに別の実施例によれば、高次コーディングの変調処理装置を更に提供し、
伝送タイプと予め定義された情報に基づき変調とコーディングポリシーのＭＣＳ表を選択するように設定され、前記ＭＣＳ表はＭ次変調方式をサポートするＭＣＳ表、及びＭ次変調方式をサポートしないＭＣＳ表を含み、Ｍ＞６４である選択モジュールと、
端末にダウンリンク制御シグナリングを送信するように設定され、前記ダウンリンク制御シグナリングは変調とコーディング方式のドメインＩＭＣＳの少なくとも一つを含み、前記ＩＭＣＳは基地局により選択したＭ次変調方式をサポートする又はサポートしないＭＣＳ表に基づくものである送信モジュールと、を含む。
【００３５】
例示する実施例において、前記選択モジュールはさらに、前記伝送タイプがダウンリンク伝送である際に、前記予め定義された情報に基づきダウンリンクＭＣＳ表を選択するように設定され、前記予め定義された情報はサブフレームセットに設定した表タイプを含み、前記表タイプは前記Ｍ次変調方式をサポートするＭＣＳ表又はＭ次変調方式をサポートしないＭＣＳ表である。
【００３６】
前記選択モジュールは、前記伝送タイプがアップリンク伝送である際に、予め定義された情報に基づきアップリンクＭＣＳ表を選択するように設定され、前記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩMCSを含むＤＣＩフォーマット(ＤＣＩ format)、
変調とコーディング方式のドメインＩMCSを含むダウンリンク制御シグナリングに対応する、共通検索領域、ＵＥ特有検索領域の少なくとも一つを含む検索領域、
変調とコーディング方式のドメインＩMCSを含むダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、の少なくとも一つを含む。
【００３７】
上記の目的を達成するために、本発明の他の実施例によれば、高次コーディングの変調処理装置を更に提供し、
基地局が送信したダウンリンク制御シグナリングを受信するように設定され、前記ダウンリンク制御シグナリングは変調とコーディング方式のドメインＩＭＣＳの少なくとも一つを含み、前記ＩＭＣＳは基地局が伝送タイプと予め定義された情報に基づき選択したＭＣＳ表に基づくものであり、前記ＭＣＳ表はＭ次変調方式をサポートするＭＣＳ表、及びＭ次変調方式をサポートしないＭＣＳ表を含み、Ｍ＞６４である受信モジュールと、
ＩＭＣＳに基づきアップリンクデータのコーディング変調を実行するように設定され、或いはＩＭＣＳに基づきダウンリンクデータの復調及び復号を実行するように設定されるデータ処理モジュールと、を含む。
【００３８】
例示する実施例において、前記受信モジュールは、前記伝送タイプがダウンリンク伝送であり、前記基地局は前記予め定義された情報に基づきダウンリンクＭＣＳ表を選択し、且つ前記予め定義された情報は、
サブフレームセットに設定した表タイプの情報を含む際に、ＩＭＣＳを受信するように設定され、前記表タイプは前記Ｍ次変調方式をサポートするＭＣＳ表又はＭ次変調方式をサポートしないＭＣＳ表である。
【００３９】
例示する実施例において、前記受信モジュールは、前記伝送タイプがアップリンク伝送であり、前記基地局は前記予め定義された情報に基づきダウンリンクＭＣＳ表を選択して、且つ前記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩMCSを含むＤＣＩフォーマット(ＤＣＩ format)、
変調とコーディング方式のドメインＩMCSを含むダウンリンク制御シグナリングに対応する、共通検索領域、ＵＥ特有検索領域の少なくとも一つを含む検索領域、
変調とコーディング方式のドメインＩMCSを含むダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、の少なくとも一つを含む際に、ＩMCSを受信するように設定される。
【００４０】
上記の目的を達成するために、本発明のさらに別の実施例によれば、基地局を更に提供し、以上のような前記選択モジュールと前記送信モジュールを含む高次コーディングの変調処理装置を含む。
【００４１】
上記の目的を達成するために、本発明のさらに別の実施例によれば、端末を更に提供し、以上のような前記受信モジュールと前記データ処理モジュールを含む高次コーディングの変調処理装置を含む。
【発明の効果】
【００４２】
本発明によって、基地局は伝送タイプと予め定義された情報に基づきＭＣＳ表を選択して基地局が選択したＭＣＳ表に基づくＩＭＣＳを送信する技術的解決手段を採用し、関連技術において、通常のテーブルはより高次の変調方式をサポートできない技術問題を解決することで、基地局と端末がより高次の変調方式に基づく伝送を実現する。
【図面の簡単な説明】
【００４３】
ここで説明する図面は、本発明を更に理解するためのものであり、本出願の一部となり、本発明の例示的実施例及びその説明は本発明を解釈するものであり、本発明を不適切に限定することがない。図面は、次の図面である。
【図１】本発明の実施例による高次コーディングの変調処理方法を示すフローチャートである。
【図２】本発明の実施例による高次コーディングの変調処理装置を示す構造ブロック図である。
【図３】本発明の実施例による他の高次コーディングの変調処理方法を示すフローチャートである。
【図４】本発明の実施例による他の高次コーディングの変調処理装置を示す構造ブロック図である。
【発明を実施するための形態】
【００４４】
以下、図面を参照し実施例と結び付けながら本発明について詳細に説明する。なお、矛盾が生じない場合には、本出願における実施例及び実施例における特徴を互いに組み合わせることができる。
【００４５】
図１は、本発明の実施例による高次コーディングの変調処理方法を示すフローチャートである。図１に示すように、該方法は、以下のステップを含む。
ステップＳ１０２： 基地局は伝送タイプと予め定義された情報に基づきＭＣＳ表を選択し、その中、ＭＣＳ表はＭ次変調方式をサポートするＭＣＳ表、及びＭ次変調方式をサポートしないＭＣＳ表を含み、Ｍ＞６４である。
ステップＳ１０４： 基地局は端末にダウンリンク制御シグナリングを送信し、該ダウンリンク制御シグナリングは変調とコーディング方式のドメイン（インデックスフィールド）ＩＭＣＳを含み、その中、ＩＭＣＳは基地局が選択したＭ次変調方式をサポートする又はサポートしないＭＣＳ表に基づくものである。
上記各処理ステップによって、基地局は伝送タイプと予め定義された情報に基づきＭＣＳ表を選択し（該Ｍ次変調方式をサポートするＭＣＳ表、及びＭ次変調方式をサポートしないＭＣＳ表、Ｍ＞６４）、且つ変調とコーディング方式のドメインを送信するため、通常のテーブルがより高次の変調方式をサポートすることができないという技術的課題を解決することができ、更には基地局と端末はより高次の変調方式に基づく伝送を実現する。
【００４６】
ＩＭＣＳの送信方式は多種であり、例えばダウンリンク制御シグナリングによって送信でき、即ちダウンリンク制御シグナリングによってＩＭＣＳは携持される。
【００４７】
本実施例において、Ｍが取る値は、１２８，２５６，５１２，１０２４等であってもよく、例示する実施例において、Ｍの取る値は、２５６である。
【００４８】
本実施例において、上記伝送タイプがダウンリンク伝送である際に、上記基地局は上記予め定義された情報に基づきダウンリンクＭＣＳ表を選択し、その中、上記予め定義された情報はサブフレームセットに設定した表タイプを含み、上記表タイプは上記Ｍ次変調方式をサポートするＣＱＩ表又はＭ次変調方式をサポートしないＣＱＩ表である。サブフレームセットは、上記基地局が設定したサブフレームセット０及び/又はサブフレームセット１を含む。好ましくは、サブフレームセット０は高レベル（高階層）が設定したＣＳＩ測定用のサブフレームセットＣＣＳＩ,０であり, サブフレームセット１は高レベルが設定したＣＳＩ測定用のサブフレームセットＣＣＳＩ,１であり、或いは、サブフレームセット０は高レベルが設定したＣＳＩ測定用のサブフレームセットＣＣＳＩ,１であり、サブフレームセット１は高レベルが設定したＣＳＩ測定用のサブフレームセットＣＣＳＩ,０である。
基地局はサブフレームセットに設定した表タイプに基づきダウンリンクＭＣＳ表を選択する際に、以下の少なくとも一つを含む。
サブフレームセット０（subframe set 0）又は/及びサブフレームセット１（subframe set 1）にＭ次変調方式をサポートするチャンネル品質指示ＣＱＩ表を設定する際に、ダウンリンクサブフレームはＭ次変調方式をサポートするＭＣＳ表を使用する。例示する実施例において、ダウンリンクサブフレームは予め定義されたようにＭ次変調方式をサポートするＭＣＳ表を使用でき、その中、「予め定義されたように使用する」とは、高レベルのシグナリングにより設定をしないことである。特に説明する必要があることは、ダウンリンクサブフレームは予め定義されたようにＭ次変調方式をサポートするＭＣＳ表を使用して、前記ダウンリンクサブフレームに変調とコーディング方式のドメインを含むダウンリンク制御シグナリングは、Ｍ次変調方式をサポートする必要があり、且つ前記ダウンリンク制御シグナリングのＣＲＣスクランブリング方式は、Ｍ次変調方式をサポートする必要がある。
【００４９】
サブフレームセットｉにＭ次変調方式をサポートするＣＱＩ表を設定する際に、サブフレームセットｉはＭ次変調方式をサポートするＭＣＳ表を使用し、サブフレームセットｉにＭ次変調方式をサポートしないＣＱＩ表を設定する際に、サブフレームセットｉはＭ次変調方式をサポートしないＭＣＳ表を使用し、その中、ｉ＝０，１であること、サブフレームセット０とサブフレームセット１を除いたサブフレームに対して、
専有の高レベルのシグナリングによってＭ次変調方式をサポートする又はサポートしないＭＣＳ表を設定すること、
予め定義されたようにＭ次変調方式をサポートしないＭＣＳ表を使用すること、の少なくとも一つを含むこと、
サブフレームセット０とサブフレームセット１の少なくとも一つにＭ次変調方式をサポートするチャンネル品質指示ＣＱＩ表を設定する際に、Ｍ次変調方式をサポートするＭＣＳ表を使用すること、の少なくとも一つを更に含む。
【００５０】
本実施例において、上記伝送タイプがアップリンク伝送である際に、上記基地局は予め定義された情報に基づきアップリンクＭＣＳ表を選択し、上記予め定義された情報は、以下の少なくとも一つを含む。
・ダウンリンク伝送である際に設定した表タイプ。上記表タイプは、Ｍ次変調方式をサポートするＣＱＩ表、Ｍ次変調方式をサポートするＭＣＳ表の少なくとも一つを含む。
・ＤＣＩフォーマット(ＤＣＩ format)。ＤＣＩに変調とコーディング方式のドメインＩＭＣＳを含む。
・ダウンリンク制御シグナリングに対応する検索領域。上記検索領域は、共通検索領域、ＵＥ特有検索領域の少なくとも一つを含み、その中、ＤＣＩに変調とコーディング方式のドメインＩＭＣＳを含む。
・ダウンリンク制御シグナリングに対応する周期的冗長検査(ＣＲＣ：Cyclic Redundancy Check)スクランブリング方式。上記ＣＲＣスクランブリング方式は、ＳＰＳ Ｃ-ＲＮＴＩスクランブリング、Ｃ-ＲＮＴＩスクランブリングの少なくとも一つを含み、その中、ＤＣＩに変調とコーディング方式のドメインＩＭＣＳを含む。
・アップリンク伝送モード。
・基地局が設定したアップリンクサブフレームセット。例示する実施例において、該サブフレームセットは上記サブフレームセット０又はサブフレームセット１を含んでもよい。
・予め定義されたアップリンクサブフレームセット。
【００５１】
上記ＤＣＩ formatはＤＣＩ format ０，ＤＣＩ format ４の少なくとも一つを含む。
【００５２】
上記基地局がダウンリンク伝送である際に設定した表タイプに基づきアップリンクＭＣＳ表を選択する際に、
ダウンリンク伝送にＭ次変調方式をサポートするＣＱＩ表及び/又はＭ次変調方式をサポートするＭＣＳ表を設定する際に、特定のシーンのアップリンク伝送にＭ次変調方式をサポートするアップリンクＭＣＳ表を設定すること、
ダウンリンク伝送にＭ次変調方式をサポートするＣＱＩ表及び/又はＭ次変調方式をサポートするＭＣＳ表を設定して、且つ特定のシーンのアップリンク伝送は物理アップリンク共有チャンネルＰＵＳＣＨにおいてチャンネル状態情報ＣＳＩを送信する際に、該アップリンク伝送にＭ次変調方式をサポートしないアップリンクＭＣＳ表を設定すること、
基地局が送信した設定シグナリングによって、上記アップリンク伝送にＭ次変調方式をサポートする又はサポートしないアップリンクＭＣＳ表を選択すること、の少なくとも一つを更に含む。
【００５３】
一つの例示する実施例において、上記特定のシーンは時分割複信（ＴＤＤ: Time Division Duplex）伝送を含む。
【００５４】
上記基地局はＤＣＩフォーマット(ＤＣＩ format)、ダウンリンク制御シグナリングに対応する検索領域、ダウンリンク制御シグナリングに対応するＣＲＣスクランブリング方式、アップリンク伝送モードの少なくとも一つに基づきアップリンクＭＣＳ表を選択する際に、上記方法は、
上記基地局は端末にアップリンク伝送モード１を設定し、或いはＤＣＩ formatをＤＣＩ format ０のみとして設定する際に、ダウンリンク制御シグナリングに対応する検索領域が共通検索領域であると、上記基地局はＭ次変調方式をサポートしないアップリンクＭＣＳ表を選択すること、ダウンリンク制御シグナリングに対応する検索領域がＵＥ特有検索領域であると、基地局はＭ次変調方式をサポートするアップリンクＭＣＳ表を選択すること、
上記基地局は端末にアップリンク伝送モード１を設定し、或いはＤＣＩ formatをＤＣＩ format ０のみとして設定する際に、ダウンリンク制御シグナリングに対応するＣＲＣスクランブリング方式がＳＰＳ Ｃ-ＲＮＴＩスクランブリングであると、上記基地局はＭ次変調方式をサポートしないアップリンクＭＣＳ表を選択すること、ダウンリンク制御シグナリングに対応するＣＲＣスクランブリング方式がＣ-ＲＮＴＩスクランブリングであると、上記基地局はＭ次変調方式をサポートするアップリンクＭＣＳ表を選択すること、
上記基地局は端末にアップリンク伝送モード１を設定し、或いはＤＣＩ formatをＤＣＩ format ０のみとして設定する際に、ダウンリンク制御シグナリングに対応する検索領域が共通検索領域であると、上記基地局はＭ次変調方式をサポートしないアップリンクＭＣＳ表を選択すること、ダウンリンク制御シグナリングに対応する検索領域がＵＥ特有検索領域で且つＣＲＣスクランブリング方式がＳＰＳ Ｃ-ＲＮＴＩスクランブリングであると、基地局はＭ次変調方式をサポートしないアップリンクＭＣＳ表を選択すること、ダウンリンク制御シグナリングに対応する検索領域がＵＥ特有検索領域で且つＣＲＣスクランブリング方式がＣ-ＲＮＴＩスクランブリングであると、基地局はＭ次変調方式をサポートするアップリンクＭＣＳ表を選択すること、
上記基地局は端末にアップリンク伝送モード２を設定し、或いはＤＣＩ format ０とＤＣＩ format ４の２種のＤＣＩ formatを設定する際に、上記基地局はＤＣＩ format ０によってダウンリンク制御シグナリングを送信して、且つ上記ダウンリンク制御シグナリングに対応する検索領域が共通検索領域であると、上記基地局はＭ次変調方式をサポートしないアップリンクＭＣＳ表を選択すること、上記基地局はＤＣＩ format ０によってダウンリンク制御シグナリングを送信して、且つダウンリンク制御シグナリングに対応する検索領域がＵＥ特有検索領域であると、上記基地局はＭ次変調方式をサポートするアップリンクＭＣＳ表を選択すること、上記基地局はＤＣＩ format ４によってダウンリンク制御シグナリングを送信すると、上記基地局はＭ次変調方式をサポートするアップリンクＭＣＳ表を選択すること、
上記基地局は端末にアップリンク伝送モード２を設定し、或いはＤＣＩ format ０とＤＣＩ format ４の２種のＤＣＩ formatを設定する際に、上記基地局はＤＣＩ format ０によってダウンリンク制御シグナリングを送信して、且つダウンリンク制御シグナリングに対応するＣＲＣスクランブリング方式がＳＰＳ Ｃ-ＲＮＴＩスクランブリングであると、上記基地局はＭ次変調方式をサポートしないアップリンクＭＣＳ表を選択すること、上記基地局はＤＣＩ format ０によってダウンリンク制御シグナリングを送信して、且つダウンリンク制御シグナリングに対応するＣＲＣスクランブリング方式がＣ-ＲＮＴＩスクランブリングであると、上記基地局はＭ次変調方式をサポートするアップリンクＭＣＳ表を選択すること、上記基地局はＤＣＩ format ４によってダウンリンク制御シグナリングを送信すると、上記基地局はＭ次変調方式をサポートするアップリンクＭＣＳ表を選択すること、
上記基地局は端末にアップリンク伝送モード２を設定し、或いはＤＣＩ format ０とＤＣＩ format ４の２種のＤＣＩ formatを設定する際に、上記基地局はＤＣＩ format ０によってダウンリンク制御シグナリングを送信して、且つダウンリンク制御シグナリングに対応する検索領域が共通検索領域であると、上記基地局はＭ次変調方式をサポートしないアップリンクＭＣＳ表を選択すること、上記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＳＰＳ Ｃ-ＲＮＴＩスクランブリングであると、上記基地局はＭ次変調方式をサポートしないアップリンクＭＣＳ表を選択すること、上記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＣ-ＲＮＴＩスクランブリングであると、上記基地局はＭ次変調方式をサポートするアップリンクＭＣＳ表を選択すること、基地局はＤＣＩ format ４によってダウンリンク制御シグナリングを送信すると、基地局はＭ次変調方式をサポートするアップリンク表を選択すること、
上記基地局は端末にアップリンク伝送モード２を設定して、或いはＤＣＩ format ０とＤＣＩ format ４の２種のＤＣＩ formatを設定する際に、上記基地局はＤＣＩ format ０によってダウンリンク制御シグナリングを送信すると、上記基地局はＭ次変調方式をサポートしないアップリンクＭＣＳ表を選択すること、上記基地局はＤＣＩ format ４によってダウンリンク制御シグナリングを送信すると、上記基地局はＭ次変調方式をサポートするアップリンクＭＣＳ表を選択すること、の少なくとも一つを更に含む。
【００５５】
上記基地局が、上記基地局が設定したサブフレームセットに基づき表タイプを選択してアップリンクＭＣＳ表を選択する際に、以下の少なくとも一つを更に含み、
サブフレームセット２とサブフレームセット３に対して、前記基地局はそれぞれＭ次変調方式をサポートする又はサポートしないアップリンクＭＣＳ表を設定する。前記サブフレームセット２と３は、基地局が設定したアップリンクサブフレームセット、或いは予め定義されたサブフレームセットである。該予め定義されたサブフレームセットは、ＴＤＤシステムにおける異なるアップダウンリンクサブフレーム設定比（Uplink-downlink configuration）に応じて分割したサブフレームセット、ＦＤＤシステムにおける奇数と偶数サブフレーム番号に応じて分割したサブフレームセットの少なくとも一つを含む。前記方法は以下の少なくとも一つを含む。
サブフレームセット２とサブフレームセット３に対して、前記基地局はそれぞれＭ次変調方式をサポートする又はサポートしないアップリンクＭＣＳ表を設定する。前記サブフレームセット２と３は基地局が設定したアップリンクサブフレームセット、或いは予め定義されたサブフレームセットである。
基地局はサブフレームセット２だけにＭ次変調方式をサポートする又はサポートしないアップリンクＭＣＳ表を設定して、サブフレームセット３はＭ次変調方式をサポートしないアップリンクＭＣＳ表を使用する。
基地局はサブフレームセット３だけにＭ次変調方式をサポートする又はサポートしないアップリンクＭＣＳ表を設定して、サブフレームセット２はＭ次変調方式をサポートしないアップリンクＭＣＳ表を使用する。
【００５６】
基地局は伝送タイプと予め定義された情報に基づきＭ次変調方式をサポートする変調とコーディングポリシーのＭＣＳ表を選択した後に、基地局は端末に前記基地局が端末に送信したダウンリンク制御シグナリングを送信し、この時、該ダウンリンク制御シグナリングは伝送電力制御指令ＴＰＣ commandドメインを更に含み、上記ＴＰＣ commandドメインは、以下の特徴の一つを少なくとも含む。その特徴は、
・上記ダウンリンク制御シグナリングはＤＣＩ format ３Ａによって送信される際に、上記ＴＰＣ commandドメインはＮ１ビットで示され、Ｎ１は１以上の正の整数であり、且つＴＰＣ commandドメインに対応するＴＰＣ command数値は−１と１を除いた整数を含むがこれらに制限されない特徴、
・上記ダウンリンク制御シグナリングはＤＣＩ format ３Ａを除いたＤＣＩ formatによって送信される際に、上記ＴＰＣ commandドメインはＮ２ビットで示され、Ｎ２は２以上の正の整数であり、且つＴＰＣ commandドメインに対応するＴＰＣ command数値は−１，０，１，３を除いた整数を含むがこれらに制限されない特徴、である。
【００５７】
本実施例において、高次コーディングの変調処理装置を更に提供し、図２に示すように、該装置は、
伝送タイプと予め定義された情報に基づき変調とコーディングポリシーのＭＣＳ表を選択するように設定され、上記ＭＣＳ表はＭ次変調方式をサポートするＭＣＳ表、及びＭ次変調方式をサポートしないＭＣＳ表を含み、Ｍ＞６４である選択モジュール２０、及び
選択モジュール２０に接続され、端末にダウンリンク制御シグナリングを送信し、上記ダウンリンク制御シグナリングは変調とコーディング方式のドメインＩＭＣＳ、ＴＰＣ commandの少なくとも一つを含むように設定される送信モジュール２２、を含む。上記ＩＭＣＳは基地局が選択したＭ次変調方式をサポートする又はサポートしないＭＣＳ表に基づくものである。
【００５８】
上記選択モジュール２０はさらに、上記伝送タイプがダウンリンク伝送である際に、上記予め定義された情報に基づきダウンリンクＭＣＳ表を選択するように設定され、上記予め定義された情報はサブフレームセットに設定した表タイプを含み、上記表タイプは上記Ｍ次変調方式をサポートするＭＣＳ表又はＭ次変調方式をサポートしないＭＣＳ表である。
【００５９】
上記選択モジュール２０はさらに、上記伝送タイプがアップリンク伝送である際に、予め定義された情報に基づきアップリンクＭＣＳ表を選択するように設定され、上記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
ＤＣＩフォーマット(ＤＣＩ format)、
ダウンリンク制御シグナリングに対応する、共通検索領域、ＵＥ特有検索領域の少なくとも一つを含む検索領域、
ダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、 
基地局が設定したサブフレームセット、の少なくとも一つを含む。
なお、選択モジュール２０と送信モジュール２２はソフトウェアモジュール又はハードウェアモジュールとして表すことができ、後者にについて、選択モジュール２０が第１プロセッサにあり、送信モジュール２２が第２プロセッサにあり、選択モジュール２０と送信モジュール２２とがいずれも第１プロセッサにあるように表すことができる。
【００６０】
本実施例において、基地局を更に提供し、以上のいずれかに記載の高次コーディングの変調処理装置を含む。
【００６１】
本実施例において、他の高次コーディングの変調処理を更に提供し、該方法は端末に適用でき、図３に示すように、該方法は、以下のステップを含む。
ステップＳ３０２： 端末は基地局が送信したダウンリンク制御シグナリングを受信し、該ダウンリンク制御シグナリングは変調とコーディング方式のドメインＩＭＣＳを含み、上記ＩＭＣＳは基地局が伝送タイプと予め定義された情報に基づき選択したＭＣＳ表に基づくものであり、ＭＣＳ表はＭ次変調方式をサポートするＭＣＳ表、及びＭ次変調方式をサポートしないＭＣＳ表を含み、Ｍ＞６４である。
ステップＳ３０４： 端末はＩＭＣＳに基づきアップリンクデータのコーディング変調を実行し、或いはダウンリンクデータの復調及び復号を実行する。
【００６２】
上記伝送タイプがダウンリンク伝送である際に、上記基地局は上記予め定義された情報に基づきダウンリンクＭＣＳ表を選択し、上記予め定義された情報はサブフレームセットに設定した表タイプを含み、上記表タイプは上記Ｍ次変調方式をサポートするＣＱＩ表又はＭ次変調方式をサポートしないＣＱＩ表である。上記サブフレームセットは上記基地局が設定したサブフレームセット０及び/又はサブフレームセット１を含むが、これらに制限されない。
【００６３】
上記伝送タイプがダウンリンク伝送であり、基地局はダウンリンクＭＣＳ表を選択する際に、以下の少なくとも一つを含み、
サブフレームセット０（subframe set 0）又は/及びサブフレームセット１（subframe set 1）にＭ次変調方式をサポートするチャンネル品質指示ＣＱＩ表を設定する際に、ダウンリンクサブフレームはＭ次変調方式をサポートするＭＣＳ表を使用する。
【００６４】
サブフレームセットｉにＭ次変調方式をサポートするＣＱＩ表を設定する際に、サブフレームセットｉはＭ次変調方式をサポートするＭＣＳ表を使用し、サブフレームセットｉにＭ次変調方式をサポートしないＣＱＩ表を設定する際に、サブフレームセットｉはＭ次変調方式をサポートしないＭＣＳ表を使用すること、ｉ＝０，１であること、サブフレームセット０とサブフレームセット１を除いたサブフレームに対して、
専有の高レベルのシグナリングによってＭ次変調方式をサポートする又はサポートしないＭＣＳ表を設定すること、
予め定義されたようにＭ次変調方式をサポートしないＭＣＳ表を使用すること、の少なくとも一つを含むこと、
サブフレームセット０とサブフレームセット１の少なくとも一つにＭ次変調方式をサポートするチャンネル品質指示ＣＱＩ表を設定する際に、Ｍ次変調方式をサポートするＭＣＳ表を使用すること、の少なくとも一つを更に含む。
【００６５】
上記伝送タイプがアップリンク伝送である際に、上記基地局は上記予め定義された情報に基づきアップリンクＭＣＳ表を選択し、上記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩＭＣＳを含むＤＣＩフォーマット(ＤＣＩ format)、
変調とコーディング方式のドメインＩＭＣＳを含むダウンリンク制御シグナリングに対応する、共通検索領域、ＵＥ特有検索領域の少なくとも一つを含みむ検索領域、
変調とコーディング方式のドメインＩＭＣＳを含むダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、の少なくとも一つを含む。
【００６６】
上記ＤＣＩ formatはＤＣＩ format ０，ＤＣＩ format ４を少なくとも一つ含むが、これに制限されない。
【００６７】
上記基地局はダウンリンク伝送である際に設定した表タイプに基づきアップリンクＭＣＳ表を選択する場合、ダウンリンク伝送にＭ次変調方式をサポートするＣＱＩ表及び/又はＭ次変調方式をサポートするＭＣＳ表を設定する際に、特定のシーンのアップリンク伝送にＭ次変調方式をサポートするアップリンクＭＣＳ表を設定し、ダウンリンク伝送にＭ次変調方式をサポートするＣＱＩ表及び/又はＭ次変調方式をサポートするＭＣＳ表を設定し、且つ特定のシーンのアップリンク伝送は物理アップリンク共有チャンネルＰＵＳＣＨにチャンネル状態情報ＣＳＩを送信する際に、該アップリンク伝送にＭ次変調方式をサポートしないアップリンクＭＣＳ表を設定し、基地局が送信した設定シグナリングによって上記アップリンク伝送にＭ次変調方式をサポートする又はサポートしないアップリンクＭＣＳ表を選択する。
【００６８】
上記特定のシーンはＴＤＤ伝送を含むが、これに制限されない。
【００６９】
上記基地局はＤＣＩフォーマット(ＤＣＩ format)、ダウンリンク制御シグナリングに対応する検索領域、ダウンリンク制御シグナリングに対応するＣＲＣスクランブリング方式、アップリンク伝送モードの少なくとも一つに基づきアップリンクＭＣＳ表を選択する際に、
上記基地局は端末にアップリンク伝送モード１を設定し、或いはＤＣＩ formatをＤＣＩ format ０のみとして設定する際に、ダウンリンク制御シグナリングに対応する検索領域が共通検索領域であると、上記基地局はＭ次変調方式をサポートしないアップリンクＭＣＳ表を選択すること、ダウンリンク制御シグナリングに対応する検索領域がＵＥ特有検索領域であると、基地局はＭ次変調方式をサポートするアップリンクＭＣＳ表を選択すること、
上記基地局は端末にアップリンク伝送モード１を設定し、或いはＤＣＩ formatをＤＣＩ format ０のみとして設定する際に、ダウンリンク制御シグナリングに対応するＣＲＣスクランブリング方式がＳＰＳ Ｃ-ＲＮＴＩスクランブリングであると、上記基地局はＭ次変調方式をサポートしないアップリンクＭＣＳ表を選択すること、ダウンリンク制御シグナリングに対応するＣＲＣスクランブリング方式がＣ-ＲＮＴＩスクランブリングであると、上記基地局はＭ次変調方式をサポートするアップリンクＭＣＳ表を選択すること、
上記基地局は端末にアップリンク伝送モード１を設定し、或いはＤＣＩ formatをＤＣＩ format ０のみとして設定する際に、ダウンリンク制御シグナリングに対応する検索領域が共通検索領域であると、上記基地局はＭ次変調方式をサポートしないアップリンクＭＣＳ表を選択すること、ダウンリンク制御シグナリングに対応する検索領域がＵＥ特有検索領域で且つＣＲＣスクランブリング方式がＳＰＳ Ｃ-ＲＮＴＩスクランブリングであると、基地局はＭ次変調方式をサポートしないアップリンクＭＣＳ表を選択すること、ダウンリンク制御シグナリングに対応する検索領域がＵＥ特有検索領域で且つＣＲＣスクランブリング方式がＣ-ＲＮＴＩスクランブリングであると、基地局はＭ次変調方式をサポートするアップリンクＭＣＳ表を選択すること、
上記基地局は端末にアップリンク伝送モード２を設定し、或いはＤＣＩ format ０とＤＣＩ format ４の２種のＤＣＩ formatを設定する際に、上記基地局はＤＣＩ format ０によってダウンリンク制御シグナリングを送信して、且つ上記ダウンリンク制御シグナリングに対応する検索領域が共通検索領域であると、上記基地局はＭ次変調方式をサポートしないアップリンクＭＣＳ表を選択すること、上記基地局はＤＣＩ format ０によってダウンリンク制御シグナリングを送信して、且つダウンリンク制御シグナリングに対応する検索領域がＵＥ特有検索領域であると、上記基地局はＭ次変調方式をサポートするアップリンクＭＣＳ表を選択すること、上記基地局はＤＣＩ format ４によってダウンリンク制御シグナリングを送信すると、上記基地局はＭ次変調方式をサポートするアップリンクＭＣＳ表を選択すること、
上記基地局は端末にアップリンク伝送モード２を設定し、或いはＤＣＩ format ０とＤＣＩ format ４の２種のＤＣＩ formatを設定する際に、上記基地局はＤＣＩ format ０によってダウンリンク制御シグナリングを送信して、且つダウンリンク制御シグナリングに対応するＣＲＣスクランブリング方式がＳＰＳ Ｃ-ＲＮＴＩスクランブリングであると、上記基地局はＭ次変調方式をサポートしないアップリンクＭＣＳ表を選択すること、上記基地局はＤＣＩ format ０によってダウンリンク制御シグナリングを送信して、且つダウンリンク制御シグナリングに対応するＣＲＣスクランブリング方式がＣ-ＲＮＴＩスクランブリングであると、上記基地局はＭ次変調方式をサポートするアップリンクＭＣＳ表を選択すること、上記基地局はＤＣＩ format ４によってダウンリンク制御シグナリングを送信すると、上記基地局はＭ次変調方式をサポートするアップリンクＭＣＳ表を選択すること、
上記基地局は端末にアップリンク伝送モード２を設定し、或いはＤＣＩ format ０とＤＣＩ format ４の２種のＤＣＩ formatを設定する際に、上記基地局はＤＣＩ format ０によってダウンリンク制御シグナリングを送信して、且つダウンリンク制御シグナリングに対応する検索領域が共通検索領域であると、上記基地局はＭ次変調方式をサポートしないアップリンクＭＣＳ表を選択すること、上記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＳＰＳ Ｃ-ＲＮＴＩスクランブリングであると、上記基地局はＭ次変調方式をサポートしないアップリンクＭＣＳ表を選択すること、上記基地局はＤＣＩ format ０によってダウンリンク制御シグナリングを送信して、且つダウンリンク制御シグナリングに対応する検索領域がＵＥ特有検索領域であり、ＣＲＣスクランブリング方式がＣ-ＲＮＴＩスクランブリングであると、上記基地局はＭ次変調方式をサポートするアップリンクＭＣＳ表を選択すること、基地局はＤＣＩ format ４によってダウンリンク制御シグナリングを送信すると、基地局はＭ次変調方式をサポートするアップリンク表を選択すること、
上記基地局は端末にアップリンク伝送モード２を設定して、或いはＤＣＩ format ０とＤＣＩ format ４の２種のＤＣＩ formatを設定する際に、上記基地局はＤＣＩ format ０によってダウンリンク制御シグナリングを送信すると、上記基地局はＭ次変調方式をサポートしないアップリンクＭＣＳ表を選択すること、上記基地局はＤＣＩ format ４によってダウンリンク制御シグナリングを送信すると、上記基地局はＭ次変調方式をサポートするアップリンクＭＣＳ表を選択すること、の少なくとも一つの方式によってＭＣＳ表を選択してもよい。
【００７０】
上記基地局は設定した又は予め定義されたサブフレームセットに基づき表タイプを選択してアップリンクＭＣＳ表を選択する際に、以下の少なくとも一つを更に含み、サブフレームセット２とサブフレームセット３に対して、前記基地局はそれぞれＭ次変調方式をサポートする又はサポートしないアップリンクＭＣＳ表を設定する。前記サブフレームセット２と３は基地局が設定したアップリンクサブフレームセット、或いは予め定義されたサブフレームセットである。前記方法は、
サブフレームセット２とサブフレームセット３に対して、前記基地局はそれぞれＭ次変調方式をサポートする又はサポートしないアップリンクＭＣＳ表を設定すること。前記サブフレームセット２と３は基地局が設定したアップリンクサブフレームセット、或いは予め定義されたサブフレームセットであること、
基地局はサブフレームセット２だけにＭ次変調方式をサポートする又はサポートしないアップリンクＭＣＳ表を設定して、サブフレームセット３はＭ次変調方式をサポートしないアップリンクＭＣＳ表を使用すること、
基地局はサブフレームセット３だけにＭ次変調方式をサポートする又はサポートしないアップリンクＭＣＳ表を設定して、サブフレームセット２はＭ次変調方式をサポートしないアップリンクＭＣＳ表を使用すること、の少なくとも一つを含む。
【００７１】
基地局はＭ次変調方式をサポートするＭＣＳ表を選択する際に、端末は基地局が送信したダウンリンク制御シグナリングを受信し、この時該ダウンリンク制御シグナリングは伝送電力制御指令ＴＰＣ COMMANDドメインを更に含み、上記ＴＰＣ COMMANDドメインは以下の特徴の一つを少なくとも含み、
上記ダウンリンク制御シグナリングはＤＣＩ format ３Ａによって送信される際に、上記ＴＰＣ commandをＮ１ビットで示され、Ｎ１は１以上の正の整数であり、且つＴＰＣ commandドメインに対応するＴＰＣ command数値は−１と１を除いた整数を含むが、これらに制限されなく、
上記ダウンリンク制御シグナリングはＤＣＩ format ３Ａを除いたＤＣＩ formatによって送信される際に、上記ＴＰＣ commandドメインをＮ２ビットで示され、Ｎ２は２以上の正の整数であり、且つＴＰＣ commandドメインに対応するＴＰＣ command数値は−１、０、１、３を除いた整数を含み、これらに制限されない。
【００７２】
本実施例において高次コーディングの変調処理装置を更に提供し、該装置は、端末に適用でき、図４に示すように、受信モジュール４０とデータ処理モジュール４２を含む。
受信モジュール４０は、基地局が送信したダウンリンク制御シグナリングを受信して、前記ダウンリンク制御シグナリングは変調とコーディング方式のドメインＩＭＣＳの少なくとも一つを含むように設定される。上記ＩＭＣＳは基地局が伝送タイプと予め定義された情報に基づき選択したＭＣＳ表に基づくものである。上記ＭＣＳ表は、Ｍ次変調方式をサポートするＭＣＳ表、及びＭ次変調方式をサポートしないＭＣＳ表を含み、Ｍ＞６４であり、一つの例示する実施例において、ダウンリンク制御情報は、ＴＰＣ commandを更に含んでもよい。
【００７３】
データ処理モジュール４２は、受信モジュール４０に接続され、ＩＭＣＳに基づきアップリンクデータのコーディング変調を実行するように設定され、或いはＩＭＣＳに基づきダウンリンクデータの復調及び復号を実行するように設定される。
【００７４】
受信モジュール４０はさらに、上記伝送タイプがダウンリンク伝送であり、上記基地局は上記予め定義された情報に基づきダウンリンクＭＣＳ表を選択し、且つ上記予め定義された情報は、
サブフレームセットに設定した表タイプの情報を含む際に、ＩＭＣＳを受信するように設定され、上記表タイプは上記Ｍ次変調方式をサポートするＭＣＳ表又はＭ次変調方式をサポートしないＭＣＳ表である。
【００７５】
受信モジュール４０はさらに、上記伝送タイプがアップリンク伝送であり、上記基地局は上記予め定義された情報に基づきダウンリンクＭＣＳ表を選択して、且つ上記予め定義された情報は、
ダウンリンク伝送である際に設定した、Ｍ次変調方式をサポートするＣＱＩ表、Ｍ次変調方式をサポートするＭＣＳ表の少なくとも一つを含む表タイプ、
変調とコーディング方式のドメインＩＭＣＳを含むＤＣＩフォーマット(ＤＣＩ format)、
変調とコーディング方式のドメインＩＭＣＳを含むダウンリンク制御シグナリングに対応する、共通検索領域、ＵＥ特有検索領域の少なくとも一つを含む検索領域、
変調とコーディング方式のドメインＩＭＣＳを含むダウンリンク制御シグナリングに対応する、ＳＰＳセル無線ネットワーク一時的アイデンティティＣ-ＲＮＴＩスクランブリング、Ｃ-ＲＮＴＩスクランブリングの少なくとも一つを含む周期的冗長検査ＣＲＣスクランブリング方式、
アップリンク伝送モード、
基地局が設定したアップリンクサブフレームセット、
予め定義されたアップリンクサブフレームセット、
の少なくとも一つを含む際に、ＩＭＣＳを受信するように設定される。
【００７６】
本実施例において、端末を更に提供し、以上のいずれかに記載の高次コーディングの変調処理装置を含む。
【００７７】
現在、通信システムの通常のテーブルはより高次の変調方式をサポートすることができず、具体的に高次変調方式の拡張テーブルと通常のテーブルの設定使用問題を解決していなく、例えば、どのような場合に高次変調方式の拡張テーブルを設定するか、どのような場合に通常のテーブルを使用するか、を解決していない。
【００７８】
上記した課題を解決するために、本発明の実施例は高次コーディング変調処理方法、装置及びシステムを提供し、基地局は伝送タイプと予め定義された情報に基づきＭ次変調方式をサポートする表を選択し或いはＭ次変調方式をサポートしない表を選択する。前記伝送タイプはアップリンク伝送又はダウンリンク伝送である。Ｍ次変調方式をサポートする表はＭ次変調方式をサポートするＭＣＳ表であり、前記Ｍ次変調方式をサポートしない表はＭ次変調方式をサポートしないＭＣＳ表であり、Ｍ≧２５６で、且つ正の整数である。基地局はダウンリンク制御情報を送信して、前記ダウンリンク制御情報は変調とコーディング方式のドメイン（ＩＭＣＳ）を少なくとも含み、そして、前記ＩＭＣＳは基地局が選択したＭ次変調方式をサポートする又はサポートしない表に基づくものである。以下、図面を参照して本発明の実施例を詳細的に説明する。なお、矛盾が生じない場合に、本出願における実施例及び実施例における特徴を互いに組み合わせることができる。
【００７９】
実施例１
実施例１において、予め定義されたサブフレームセットに設定したＣＱＩ表に基づきダウンリンクサブフレームに使用されるＭＣＳ表を確定する。前記予め定義されたサブフレームセットは、基地局が設定したサブフレームセット０、及び/又はサブフレームセット１を含む。前記予め定義されたサブフレームセットに設定したＣＱＩ表に基づきダウンリンクサブフレームに使用されるＭＣＳ表を確定することは、予め定義されたサブフレームセットにおける少なくとも一つに２５６ＱＡＭをサポートするＣＱＩ表を設定する際に、すべてのダウンリンクサブフレームは２５６ＱＡＭをサポートするＭＣＳ表を使用し、すべてのダウンリンクサブフレームには設定されたサブフレームセット０/１に属しないサブフレームが含まれる。
【００８０】
サブ実施例１： 本実施例において、基地局は端末に設定シグナリングを送信して、前記シグナリングはサブフレームセット０とサブフレームセット１を設定する。基地局は端末に設定シグナリング１を送信して、該シグナリングはサブフレームセット０に対して２５６ＱＡＭ変調方式をサポートする表を設定し、前記２５６ＱＡＭをサポートする表は２５６ＱＡＭをサポートするＣＱＩ表であり、サブフレームセット１に対して２５６ＱＡＭをサポートしない表を選択し、前記２５６ＱＡＭをサポートしない表はＬＴＥ Rel-１１バージョン標準３６.２１３のＣＱＩ表である。基地局はダウンリンクサブフレームには端末にダウンリンク制御シグナリングを送信し、前記ダウンリンク制御シグナリングは変調とコーディング方式のドメイン（ＩＭＣＳ）を含み、端末は基地局が送信したダウンリンク制御シグナリングを受信すると、ＩＭＣＳは２５６ＱＡＭをサポートするＭＣＳ表に基づくものである。サブフレームセット０と１の少なくとも一つに２５６ＱＡＭをサポートするＣＱＩ表を設定する際に、すべてのダウンリンクサブフレームに２５６ＱＡＭをサポートするＭＣＳ表を設定し、設定を簡単化させ、高次変調方式を利用する機会を増やし、即ち２５６ＱＡＭであり、同時に高い信号対雑音比の条件で２５６ＱＡＭを利用してスペクトル効率を向上させることが可能である。
【００８１】
サブ実施例２： 本実施例において、基地局は端末に設定シグナリングを送信して、前記シグナリングはサブフレームセット０とサブフレームセット１を設定する。基地局は端末に設定シグナリング１を送信して、該シグナリングはサブフレームセット１に対して２５６ＱＡＭ変調方式をサポートする表を設定し、前記２５６ＱＡＭをサポートする表は２５６ＱＡＭをサポートするＣＱＩ表であり、サブフレームセット０に対して２５６ＱＡＭをサポートしない表を選択し、前記２５６ＱＡＭをサポートしない表はＬＴＥ Rel-１１バージョン標準３６.２１３のＣＱＩ表である。基地局はダウンリンクサブフレームには端末にダウンリンク制御シグナリングを送信し、前記ダウンリンク制御シグナリングは変調とコーディング方式のドメイン（ＩＭＣＳ）を含み、ＩＭＣＳは２５６ＱＡＭをサポートするＭＣＳ表に基づくものである。サブフレームセット０と１の少なくとも一つに２５６ＱＡＭをサポートするＣＱＩ表を設定する際に、すべてのダウンリンクサブフレームに２５６ＱＡＭをサポートするＭＣＳ表を設定し、設定を簡単化させ、同時に高い信号対雑音比の条件で２５６ＱＡＭを利用してスペクトル効率を向上させることが可能である。
【００８２】
サブ実施例３： 本実施例において、基地局は端末に設定シグナリングを送信して、前記シグナリングはサブフレームセット０とサブフレームセット１を設定する。基地局は端末に設定シグナリング１を送信して、該シグナリングはサブフレームセット０に対して２５６ＱＡＭ変調方式をサポートする表を設定し、前記２５６ＱＡＭをサポートする表は２５６ＱＡＭをサポートするＣＱＩ表であり、サブフレームセット１に対して２５６ＱＡＭをサポートしない表を選択し、前記２５６ＱＡＭをサポートしない表はＬＴＥ Rel-１１バージョン標準３６.２１３のＣＱＩ表である。基地局はサブフレームセット０には端末にダウンリンク制御シグナリングを送信し、前記ダウンリンク制御シグナリングは変調とコーディング方式のドメイン（ＩＭＣＳ）を含み、該ＩＭＣＳは２５６ＱＡＭをサポートするＭＣＳ表に基づくものであり、基地局はサブフレームセット１とサブフレームセット２には端末にダウンリンク制御シグナリングを送信し、前記ダウンリンク制御シグナリングは変調とコーディング方式のドメイン（ＩＭＣＳ）を含み、該ＩＭＣＳは２５６ＱＡＭをサポートしないＭＣＳ表に基づくものである。サブフレームセットに設定した表に応じてダウンリンクサブフレームＭＣＳ表を選択することは、チャンネルの信号対干渉および雑音電力比条件をよりよく利用して表を設定し、適応型変調コーディングをより良く実現して、システムスループットを向上させる。
【００８３】
サブ実施例４： 本実施例において、基地局は端末に設定シグナリングを送信して、前記シグナリングはサブフレームセット０とサブフレームセット１を設定する。基地局は端末に設定シグナリング１を送信して、該シグナリングはサブフレームセット１に対して２５６ＱＡＭ変調方式をサポートする表を設定し、前記２５６ＱＡＭをサポートする表は２５６ＱＡＭをサポートするＣＱＩ表であり、サブフレームセット０に対して２５６ＱＡＭをサポートしない表を選択し、前記２５６ＱＡＭをサポートしない表はＬＴＥ Rel-１１バージョン標準３６.２１３のＣＱＩ表である。基地局はサブフレームセット１には端末にダウンリンク制御シグナリングを送信し、前記ダウンリンク制御シグナリングは変調とコーディング方式のドメイン（ＩＭＣＳ）を含み、該ＩＭＣＳは２５６ＱＡＭをサポートするＭＣＳ表に基づくものであり、基地局はサブフレームセット０には端末にダウンリンク制御シグナリングを送信し、前記ダウンリンク制御シグナリングは変調とコーディング方式のドメイン（ＩＭＣＳ）を含み、該ＩＭＣＳは２５６ＱＡＭをサポートしないＭＣＳ表に基づくものである。基地局は端末に設定シグナリング２を送信し、該シグナリングはサブフレームセット２に対して２５６ＱＡＭ変調方式をサポートするＭＣＳ表を設定し、基地局はサブフレームセット２には端末にダウンリンク制御シグナリングを送信し、前記ダウンリンク制御シグナリングは変調とコーディング方式のドメイン（ＩＭＣＳ）を含み、該ＩＭＣＳは２５６ＱＡＭをサポートするＭＣＳ表に基づくものである。サブフレームセット０と１に対して、サブフレームセットに設定した表に応じてダウンリンクサブフレームＭＣＳ表を選択し、チャンネルの信号対干渉および雑音電力比条件をよりよく利用して表を設定し、適応型変調コーディングをより良く実現して、システムスループットを向上させる。サブフレームセット２に対して、チャンネルの信号対干渉および雑音電力比条件に応じて高レベルにより表を設定することは、適応型変調コーディングをより良く実現するためであり、システムスループットを向上させる。
【００８４】
実施例２
アップリンクＭＣＳ表の設定： 1）ダウンリンクに設定したＣＱＩ表及び/又はＭＣＳ表のタイプによりアップリンクＭＣＳ表の使用を確定し、2）アップリンクＭＣＳ表は独立な無線リソース制御（ＲＲＣ:Radio Resource Control）により設定される。
サブ実施例１： 本実施例において、基地局は端末に設定シグナリング０を送信して、前記シグナリング設定０はダウンリンク伝送に対して２５６ＱＡＭをサポートする或いはサポートしない拡張テーブルを選択する。前記２５６ＱＡＭをサポートする拡張テーブルは、２５６ＱＡＭをサポートするＣＱＩ表、及び/又はＭＣＳ表である。前記２５６ＱＡＭをサポートしない拡張テーブルは、２５６ＱＡＭをサポートしないＣＱＩ表、及び/又はＭＣＳ表である。基地局は端末に設定シグナリング１を送信して、前記シグナリング設定１はアップリンク伝送に対して２５６ＱＡＭをサポートする拡張テーブルを選択する。前記２５６ＱＡＭをサポートする拡張テーブルは２５６ＱＡＭをサポートするＭＣＳ表である。基地局はＤＣＩ format ０或いはＤＣＩ format ４によって端末にダウンリンク制御シグナリングを送信し、前記ダウンリンク制御シグナリングは変調とコーディング方式のドメイン（ＩＭＣＳ）を含む。基地局はＰＵＳＣＨ上の端末が送信したＣＳＩを含まないアップリンクデータを受信し、前記ＩＭＣＳは２５６ＱＡＭをサポートするＭＣＳ表に基づくものである。アップリンク表とダウンリンク表の選択は独立であり、チャンネルの信号対干渉および雑音電力比条件をより良く利用して表を設定し、適応型変調コーディングをより良く実現して、システムスループットを向上させることができる。
【００８５】
サブ実施例２： 本実施例において、基地局は端末に設定シグナリング０を送信して、前記シグナリング設定０はダウンリンク伝送に対して２５６ＱＡＭをサポートする或いはサポートしない拡張テーブルを選択する。前記２５６ＱＡＭをサポートする拡張テーブルは、２５６ＱＡＭをサポートするＣＱＩ表、及び/又はＭＣＳ表である。前記２５６ＱＡＭをサポートしない拡張テーブルは、２５６ＱＡＭをサポートしないＣＱＩ表、及び/又はＭＣＳ表である。基地局は端末に設定シグナリング１を送信して、前記シグナリング設定１はアップリンク伝送に対して２５６ＱＡＭをサポートする拡張テーブルを選択する。前記２５６ＱＡＭをサポートする拡張テーブルは、２５６ＱＡＭをサポートするＭＣＳ表である。基地局はＤＣＩ format ０或いはＤＣＩ format ４によって端末にダウンリンク制御シグナリングを送信し、前記ダウンリンク制御シグナリングは変調とコーディング方式のドメイン（ＩＭＣＳ）を含み、基地局はＰＵＳＣＨ上の端末が送信したＣＳＩデータを受信し、前記ＩＭＣＳは２５６ＱＡＭをサポートしないＭＣＳ表に基づくものである。アップリンク表とダウンリンク表の選択は独立であり、チャンネルの信号対干渉および雑音電力比条件をより良く利用して表を設定し、適応型変調コーディングをより良く実現して、システムスループットを向上させることができ、ＰＵＳＣＨがＣＳＩデータを伝送する場合に対して、できるだけ低次変調方式を採用して伝送の正確度を確保するため、２５６ＱＡＭをサポートするＭＣＳ表を使用する必要がなく、２５６ＱＡＭをサポートしないＭＣＳ表は低スペクトル効率領域でより詳細なスペクトル効率粒度を有する可能性があり、適応型コーディング変調をより良く実現することができる。 
【００８６】
サブ実施例３： 本実施例は特定のシーンを仮定し、前記特定のシーンはＴＤＤシーンを含む。２つのノード、即ちノード１とノード２は端末にダウンリンクデータを送信する。ノード１に２５６ＱＡＭをサポートするダウンリンク拡張テーブルを設定する。ノード２に２５６ＱＡＭをサポートしないダウンリンク拡張テーブルを設定する。前記２５６ＱＡＭをサポートするダウンリンク拡張テーブルは、２５６ＱＡＭをサポートするＣＱＩ表、及び/又はＭＣＳ表である。前記２５６ＱＡＭをサポートしないダウンリンク拡張テーブルは、２５６ＱＡＭをサポートしないＣＱＩ表、及び/又はＭＣＳ表である。ノード１又はノード２はＤＣＩ format ０或いはＤＣＩ format ４によって端末にダウンリンク制御シグナリングを送信し、前記ダウンリンク制御シグナリングは変調とコーディング方式のドメイン（ＩＭＣＳ）を含み、ノード１とノード２はＰＵＳＣＨ上の端末が送信したＣＳＩを含まないアップリンクデータを受信し、前記ＩＭＣＳは２５６ＱＡＭをサポートするＭＣＳ表に基づくものである。アップリンクはダウンリンク表に応じて表を設定することは、特定のシーンのチャンネルの可逆性のため、表の設定を簡単化させる。
【００８７】
サブ実施例４：本実施例は特定のシーンを仮定し、前記特定のシーンはＴＤＤシーンを含む。２つのノード、即ちノード１とノード２は端末にダウンリンクデータを送信する。ノード１に２５６ＱＡＭをサポートするダウンリンク拡張テーブルを設定する。ノード２に２５６ＱＡＭをサポートしないダウンリンク拡張テーブルを設定する。前記２５６ＱＡＭをサポートするダウンリンク拡張テーブルは、２５６ＱＡＭをサポートするＣＱＩ表、及び/又はＭＣＳ表である。前記２５６ＱＡＭをサポートしないダウンリンク拡張テーブルは、２５６ＱＡＭをサポートしないＣＱＩ表、及び/又はＭＣＳ表である。ノード１又はノード２はＤＣＩ format ０或いはＤＣＩ format ４によって端末にダウンリンク制御シグナリングを送信し、前記ダウンリンク制御シグナリングは変調とコーディング方式のドメイン（ＩＭＣＳ）を含み、ノード１とノード２はＰＵＳＣＨ上の端末が送信したＣＳＩを含むアップリンクデータを受信し、前記ＩＭＣＳは２５６ＱＡＭをサポートしないＭＣＳ表に基づくものである。ＰＵＳＣＨがＣＳＩデータを伝送する場合に対して、できるだけ低次変調方式を採用して伝送の正確度を確保するため、２５６ＱＡＭをサポートするＭＣＳ表を使用する必要がなく、２５６ＱＡＭをサポートしないＭＣＳ表は低スペクトル効率領域でより詳細なスペクトル効率粒度を有する可能性があり、適応型コーディング変調をより良く実現することができる。
【００８８】
実施例３
ＤＣＩ format、検索領域、ＣＲＣスクランブリング方式、アップリンク伝送モードに基づき２５６ＱＡＭをサポートする又はサポートしないアップリンクＭＣＳ表の使用を確定する。
サブ実施例１： 本実施例において、仮に基地局は端末にアップリンク伝送モード１を設定し、或いはＤＣＩ format ０のフォーマットのみを設定する。基地局はＤＣＩ format ０と共通検索領域によって端末にダウンリンク制御シグナリングを送信し、前記ダウンリンク制御シグナリングは変調とコーディング方式のドメイン（ＩＭＣＳ）を含み、前記ＩＭＣＳは２５６ＱＡＭをサポートしないＭＣＳ表に基づくものである。基地局はＰＵＳＣＨ上の端末が送信したアップリンクデータを受信する。このような設定は２５６ＱＡＭの使用は特定のＵＥに対するものであるためである。
【００８９】
サブ実施例２： 本実施例において、仮に基地局は端末にアップリンク伝送モード１を設定し、或いはＤＣＩ format ０のフォーマットのみを設定する。基地局はＤＣＩ format ０とＵＥ特有検索領域によって端末にダウンリンク制御シグナリングを送信し、前記ダウンリンク制御シグナリングは変調とコーディング方式のドメイン（ＩＭＣＳ）を含み、前記ＩＭＣＳは２５６ＱＡＭをサポートするＭＣＳ表に基づくものである。基地局はＰＵＳＣＨ上の端末が送信したアップリンクデータを受信する。このような設定は２５６ＱＡＭの使用は特定のＵＥに対するものであるためである。
【００９０】
サブ実施例３： 本実施例において、仮に基地局は端末にアップリンク伝送モード１を設定し、或いはＤＣＩ format ０のフォーマットのみを設定する。基地局はＤＣＩ format ０によって端末にダウンリンク制御シグナリングを送信し、前記ダウンリンク制御シグナリングは変調とコーディング方式のドメイン（ＩＭＣＳ）を含む。且つＳＰＳ Ｃ-ＲＮＴＩによってダウンリンク制御シグナリングに対応するＣＲＣをスクランブリングする。そして、前記ＩＭＣＳは２５６ＱＡＭをサポートしないＭＣＳ表に基づくものである。基地局はＰＵＳＣＨ上の端末が送信したアップリンクデータを受信する。このような設定は２５６ＱＡＭの使用が信号対干渉および雑音電力比条件に応じて柔軟に設定すべきであるためである。
【００９１】
サブ実施例４： 本実施例において、仮に基地局は端末にアップリンク伝送モード１を設定し、或いはＤＣＩ format ０のフォーマットのみを設定する。基地局はＤＣＩ format ０によって端末にダウンリンク制御シグナリングを送信し、前記ダウンリンク制御シグナリングは変調とコーディング方式のドメイン（ＩＭＣＳ）を含む。且つＣ-ＲＮＴＩによってダウンリンク制御シグナリングに対応するＣＲＣをスクランブリングする。そして、前記ＩＭＣＳは２５６ＱＡＭをサポートするＭＣＳ表に基づくものである。基地局はＰＵＳＣＨ上の端末が送信したアップリンクデータを受信する。このような設定は２５６ＱＡＭの使用が信号対干渉および雑音電力比条件に応じて柔軟に設定すべきであるためである。
【００９２】
サブ実施例５： 本実施例において、仮に基地局は端末にアップリンク伝送モード１を設定し、或いはＤＣＩ format ０のフォーマットのみを設定する。基地局はＤＣＩ format ０とＵＥ特有検索領域によって端末にダウンリンク制御シグナリングを送信し、前記ダウンリンク制御シグナリングは変調とコーディング方式のドメイン（ＩＭＣＳ）を含む。且つＳＰＳ Ｃ-ＲＮＴＩによってダウンリンク制御シグナリングに対応するＣＲＣをスクランブリングする。そして前記ＩＭＣＳは２５６ＱＡＭをサポートしないＭＣＳ表に基づくものである。基地局はＰＵＳＣＨ上の端末が送信したアップリンクデータを受信する。このような設定は２５６ＱＡＭの使用は特定のＵＥに対するものであり、２５６ＱＡＭの使用が信号対干渉および雑音電力比条件に応じて柔軟に設定すべきであるためである。
【００９３】
サブ実施例６： 本実施例において、仮に基地局は端末にアップリンク伝送モード１を設定し、或いはＤＣＩ format ０のフォーマットのみを設定する。基地局はＤＣＩ format ０とＵＥ特有検索領域によって端末にダウンリンク制御シグナリングを送信し、前記ダウンリンク制御シグナリングは変調とコーディング方式のドメイン（ＩＭＣＳ）を含む。且つＣ-ＲＮＴＩによってダウンリンク制御シグナリングに対応するＣＲＣをスクランブリングする。そして前記ＩＭＣＳは２５６ＱＡＭをサポートするＭＣＳ表に基づくものである。基地局はＰＵＳＣＨ上の端末が送信したアップリンクデータを受信する。このような設定は２５６ＱＡＭの使用は特定のＵＥに対するものである、２５６ＱＡＭの使用が信号対干渉および雑音電力比条件に応じて柔軟に設定すべきであるためである。
【００９４】
サブ実施例７： 本実施例において、仮に基地局は端末にアップリンク伝送モード２を設定し、或いはＤＣＩ format ０/４の２種のフォーマットを設定する。基地局はＤＣＩ format ０によって端末にダウンリンク制御シグナリングを送信し、前記ダウンリンク制御シグナリングは変調とコーディング方式のドメイン（ＩＭＣＳ）を含み、前記ＩＭＣＳは２５６ＱＡＭをサポートしないＭＣＳ表に基づくものである。基地局はＤＣＩ format ４によって端末にダウンリンク制御シグナリングを送信し、前記ダウンリンク制御シグナリングは変調とコーディング方式のドメイン（ＩＭＣＳ）を含み、前記ＩＭＣＳは２５６ＱＡＭをサポートするＭＣＳ表に基づくものである。基地局はＰＵＳＣＨ上の端末が送信したアップリンクデータを受信する。ＤＣＩ format ４は複数のコードワードの伝送に対するものであり、より高い信号対干渉および雑音電力比に対応可能なため、対応するアップリンク伝送は２５６ＱＡＭを使用するより可能性がある。
【００９５】
サブ実施例８： 本実施例において、仮に基地局は端末にアップリンク伝送モード２を設定して、或いはＤＣＩ format ０/４の２種のフォーマットを設定する。基地局はＤＣＩ format ０と共通検索領域によって端末にダウンリンク制御シグナリングを送信し、前記ダウンリンク制御シグナリングは変調とコーディング方式のドメイン（ＩＭＣＳ）を含む際に、前記ＩＭＣＳは２５６ＱＡＭをサポートしないＭＣＳ表に基づくものである。基地局はＤＣＩ format ０とＵＥ特有検索領域によって端末にダウンリンク制御シグナリングを送信し、前記ダウンリンク制御シグナリングは変調とコーディング方式のドメイン（ＩＭＣＳ）を含む際に、前記ＩＭＣＳは２５６ＱＡＭをサポートするＭＣＳ表に基づくものである。基地局はＤＣＩ format ４によって端末にダウンリンク制御シグナリングを送信し、前記ダウンリンク制御シグナリングは変調とコーディング方式のドメイン（ＩＭＣＳ）を含む際に、前記ＩＭＣＳは２５６ＱＡＭをサポートするＭＣＳ表に基づくものである。基地局はＰＵＳＣＨ上の端末が送信したアップリンクデータを受信する。ＤＣＩ format ０に対しても２５６ＱＡＭをサポートする表を設定して、２５６ＱＡＭを使用する可能性を与える。これはできるだけ２５６ＱＡＭを利用してスペクトル効率を向上させることを考える。また、２５６ＱＡＭの使用は特定のＵＥに対するものである。
【００９６】
サブ実施例９： 本実施例において、仮に基地局は端末にアップリンク伝送モード２を設定して、或いはＤＣＩ format ０/４の２種のフォーマットを設定する。基地局はＤＣＩ format ０によって端末にダウンリンク制御シグナリングを送信し、前記ダウンリンク制御シグナリングは変調とコーディング方式のドメイン（ＩＭＣＳ）を含み、且つＳＰＳ Ｃ-ＲＮＴＩによってダウンリンク制御シグナリングに対応するＣＲＣをスクランブリングする際に、前記ＩＭＣＳは２５６ＱＡＭをサポートしないＭＣＳ表に基づくものである。基地局はＤＣＩ format ０によって端末にダウンリンク制御シグナリングを送信し、前記ダウンリンク制御シグナリングは変調とコーディング方式のドメイン（ＩＭＣＳ）を含み、且つＣ-ＲＮＴＩによってダウンリンク制御シグナリングに対応するＣＲＣをスクランブリングする際に、前記ＩＭＣＳは２５６ＱＡＭをサポートするＭＣＳ表に基づくものである。基地局はＤＣＩ format ４によって端末にダウンリンク制御シグナリングを送信し、前記ダウンリンク制御シグナリングは変調とコーディング方式のドメイン（ＩＭＣＳ）を含む際に、前記ＩＭＣＳは２５６ＱＡＭをサポートするＭＣＳ表に基づくものである。基地局はＰＵＳＣＨ上の端末が送信したアップリンクデータを受信する。ＤＣＩ format ０に対しても２５６ＱＡＭをサポートする表を設定して、２５６ＱＡＭを使用する可能性を与える。これはできるだけ２５６ＱＡＭを利用してスペクトル効率を向上させることを考える。また、２５６ＱＡＭの使用は信号対干渉および雑音電力比条件に応じて柔軟に設定すべきである。
【００９７】
サブ実施例１０： 本実施例において、仮に基地局は端末にアップリンク伝送モード２を設定して、或いはＤＣＩ format ０/４の２種のフォーマットを設定する。基地局はＤＣＩ format ０と共通検索領域によって端末にダウンリンク制御シグナリングを送信し、前記ダウンリンク制御シグナリングは変調とコーディング方式のドメイン（ＩＭＣＳ）を含む際に、前記ＩＭＣＳは２５６ＱＡＭをサポートしないＭＣＳ表に基づくものである。基地局はＤＣＩ format ０とＵＥ特有検索領域によって端末にダウンリンク制御シグナリングを送信し、前記ダウンリンク制御シグナリングは変調とコーディング方式のドメイン（ＩＭＣＳ）を含み、且つＣ-ＲＮＴＩによってダウンリンク制御シグナリングに対応するＣＲＣをスクランブリングする際に、前記ＩＭＣＳは２５６ＱＡＭをサポートするＭＣＳ表に基づくものである。基地局はＤＣＩ format ０とＵＥ特有検索領域によって端末にダウンリンク制御シグナリングを送信し、前記ダウンリンク制御シグナリングは変調とコーディング方式のドメイン（ＩＭＣＳ）を含み、且つＳＰＳ Ｃ-ＲＮＴＩによってダウンリンク制御シグナリングに対応するＣＲＣをスクランブリングする際に、前記ＩＭＣＳは２５６ＱＡＭをサポートしないＭＣＳ表に基づくものである。基地局はＤＣＩ format ４によって端末にダウンリンク制御シグナリングを送信し、前記ダウンリンク制御シグナリングは変調とコーディング方式のドメイン（ＩＭＣＳ）を含む際に、前記ＩＭＣＳは２５６ＱＡＭをサポートするＭＣＳ表に基づくものである。基地局はＰＵＳＣＨ上の端末が送信したアップリンクデータを受信する。ＤＣＩ format ０に対しても２５６ＱＡＭをサポートする表を設定して、２５６ＱＡＭを使用する可能性を与える。これはできるだけ２５６ＱＡＭを利用してスペクトル効率を向上させることを考える。また、２５６ＱＡＭの使用は特定のＵＥに対するものである、２５６ＱＡＭの使用が信号対干渉および雑音電力比条件に応じて柔軟に設定すべきである。
【００９８】
実施例４
基地局は２５６ＱＡＭをサポートするアップリンクＭＣＳ表を選択する際に、ＤＣＩ format ０/３/３Ａ/４におけるＴＰＣ commandドメインからＴＰＣ commandまでのマッピング関係を設計する。現在、Release １１バージョンのＬＴＥプロトコル３６.２１３の電力制御は６４ＱＡＭ及びより低次の変調方式に対するものである。新しいマッピング関係を設計することは２５６ＱＡＭがより高い信号対干渉および雑音電力比条件を必要とすることを考え、アップリンク電力制御によってより高い信号対干渉および雑音電力比を提供することができる。
【００９９】
サブ実施例１： 本実施例において、基地局は端末に設定シグナリングを送信して、前記シグナリングはアップリンク伝送に２５６ＱＡＭをサポートするＭＣＳ表を設定した。基地局はＤＣＩ format ０或いはＤＣＩ format ４或いはＤＣＩ format ３によって端末にダウンリンク制御シグナリングを送信し、前記ダウンリンク制御シグナリングはＴＰＣ command（伝送電力制御命令）ドメインを含む。ＴＰＣ commandドメインの取る値は０，１，２，３である。ＴＰＣ commandドメイン（ＴＰＣ commandフィールド）から絶対と累積伝送電力制御命令（Absolute and accumulated TPC command）までのマッピング関係を表１に示す。
【表１】
0006489584.tif 000002
【０１００】
サブ実施例２： 本実施例において、基地局は端末に設定シグナリングを送信して、前記シグナリングはアップリンク伝送に２５６ＱＡＭをサポートするＭＣＳ表を設定する。基地局はＤＣＩ format ０或いはＤＣＩ format ４或いはＤＣＩ format ３によって端末にダウンリンク制御シグナリングを送信し、前記ダウンリンク制御シグナリングはＴＰＣ command（伝送電力制御命令）ドメインを含む。ＴＰＣ commandドメインの取る値は０，１，２，…，７である。ＴＰＣ commandドメインから絶対と累積伝送電力制御命令（Absolute and accumulated TPC command）までのマッピング関係を表２に示す。
【表２】
0006489584.tif 000003
【０１０１】
サブ実施例３： 本実施例において、基地局は端末に設定シグナリングを送信して、前記シグナリングはアップリンク伝送に２５６ＱＡＭをサポートするＭＣＳ表を設定する。基地局はＤＣＩ format ３Ａによって端末にダウンリンク制御シグナリングを送信し、前記ダウンリンク制御シグナリングはＴＰＣ commandドメインを含む。ＴＰＣ commandドメインの取る値は０，１である。ＴＰＣ commandドメインから累積伝送電力制御命令までのマッピング関係を以下の表に示す。
【表３】
0006489584.tif 000004
【０１０２】
サブ実施例４： 本実施例において、基地局は端末に設定シグナリングを送信して、前記シグナリングはアップリンク伝送に２５６ＱＡＭをサポートするＭＣＳ表を設定する。基地局はＤＣＩ format ３Ａによって端末にダウンリンク制御シグナリングを送信し、前記ダウンリンク制御シグナリングはＴＰＣ commandドメインを含む。ＴＰＣ commandドメインの取る値は０，１，２，３である。ＴＰＣ commandドメインから累積伝送電力制御命令までのマッピング関係を以下の表に示す。
【表４】
0006489584.tif 000005
【０１０３】
実施例５
２５６ＱＡＭをサポートするアップリンクＭＣＳ表の設計。現在、Release １１バージョンのＬＴＥプロトコル３６.２１３のアップリンクＭＣＳ表は最も高く６４ＱＡＭをサポートし、２５６ＱＡＭをサポートしていない。
サブ実施例１： 本実施例において、基地局は端末に設定シグナリングを送信して、前記シグナリングはアップリンク伝送に２５６ＱＡＭをサポートするＭＣＳ表を設定する。基地局はＤＣＩ format ０或いはＤＣＩ format ４によって端末にダウンリンク制御シグナリングを送信し、前記ダウンリンク制御シグナリングは変調とコーディング方式のドメイン（ＩＭＣＳ）を含む。前記ＩＭＣＳは以下のようなＰＵＳＣＨの変調方式、ＴＢＳインデックス及び冗長バージョン表に基づくものである。表５にRelease １１バージョンのＬＴＥプロトコル３６.２１３のＰＵＳＣＨの変調方式、ＴＢＳインデックス及び冗長バージョン表における前の６個の奇数ＩＴＢＳに対応するレベル及び６４ＱＡＭの最も高いスペクトル効率レベル（ＩＴＢＳ＝２６）を削除して、７個の２５６ＱＡＭのレベルを増加する。
【表５】
0006489584.tif 000006
【０１０４】
サブ実施例２： 本実施例において、基地局は端末に設定シグナリングを送信して、前記シグナリングはアップリンク伝送に２５６ＱＡＭをサポートするＭＣＳ表を設定する。基地局はＤＣＩ format ０或いはＤＣＩ format ４によって端末にダウンリンク制御シグナリングを送信し、前記ダウンリンク制御シグナリングは変調とコーディング方式のドメイン（ＩＭＣＳ）を含む。前記ＩＭＣＳは以下のようなＰＵＳＣＨの変調方式、ＴＢＳインデックス及び冗長バージョン表に基づくものであ。表６にRelease １１バージョンのＬＴＥプロトコル３６.２１３のＰＵＳＣＨの変調方式、ＴＢＳインデックス及び冗長バージョン表における前の４個の奇数ＩＴＢＳに対応するレベル、ＩＴＢＳ＝１０に対応する１６ＱＡＭ、ＩＴＢＳ＝１９に対応する６４ＱＡＭレベル、及び６４ＱＡＭの最も高いスペクトル効率レベル（ＩＴＢＳ＝２６）を削除し、合計で７個のレベルであり、７個の２５６ＱＡＭのレベルを増加する。
【表６】
0006489584.tif 000007
【０１０５】
サブ実施例３： 本実施例において、基地局は端末に設定シグナリングを送信して、前記シグナリングはアップリンク伝送に２５６ＱＡＭをサポートするＭＣＳ表を設定する。基地局はＤＣＩ format ０或いはＤＣＩ format ４によって端末にダウンリンク制御シグナリングを送信し、前記ダウンリンク制御シグナリングは変調とコーディング方式のドメイン（ＩＭＣＳ）を含む。前記ＩＭＣＳは以下のようなＰＵＳＣＨの変調方式、ＴＢＳインデックス及び冗長バージョン表に基づくものであ。表７にRelease １１バージョンのＬＴＥプロトコル３６.２１３のＰＵＳＣＨの変調方式、ＴＢＳインデックス及び冗長バージョン表における前の５個の奇数ＩＴＢＳに対応するレベル、ＩＴＢＳ＝１０に対応する１６ＱＡＭレベル、及び６４ＱＡＭの最も高いスペクトル効率レベル（ＩＴＢＳ＝２６）を削除して、合計で７個のレベルであり、７個の２５６ＱＡＭのレベルを増加する。
【表７】
0006489584.tif 000008
【０１０６】
以上を纏めて、本発明の実施例による高次コーディング変調処理装置は、本発明の実施例による高次コーディング変調処理方法を結び付けることができ、基地局は伝送タイプと予め定義された情報に基づきＭ次変調方式をサポートする表を選択し或いはＭ次変調方式をサポートしない表を選択する。前記伝送タイプはアップリンク伝送又はダウンリンク伝送である。前記Ｍ次変調方式をサポートする表はＭ次変調方式をサポートするＭＣＳ表であり、前記Ｍ次変調方式をサポートしない表はＭ次変調方式をサポートしないＭＣＳ表であり、Ｍ≧２５６で、且つ正の整数である。基地局はダウンリンク制御情報を送信して、前記ダウンリンク制御情報は変調とコーディング方式のドメイン（ＩＭＣＳ）を少なくとも含み、ＩＭＣＳは基地局が選択したＭ次変調方式をサポートする又はサポートしない表に基づくものである。ダウンリンクとアップリンクを実現し、基地局と端末のより高次の変調方式に基づく伝送を実現し、現在の通信システムがより高次の変調方式をサポートできない課題を解決する。本発明の実施例による技術は信号対干渉および雑音電力比条件に基づきＭ次変調方式をサポートする或いはサポートしない使用を柔軟に設定し、従来の無線伝送ネットワークを兼ねる上で高次変調をサポートし、適応型コーディング変調をより良く実現し、同時に伝送正確度を確保し、システムピーク速度とスペクトル効率を向上させ、できるだけ設定を簡単化させ、表設定の複雑さを低下させる。
【０１０７】
上記実施例による技術を採用して、合理的にＭ次変調方式の使用（Ｍが２５６以上である）を設定でき、Ｍ次変調方式の使用に適切な信号対干渉および雑音電力比条件を提供する。Ｍ次変調方式の使用をよくサポートすることができ、スペクトル効率の向上と伝送正確度の確保の関係を十分に考え、設定を簡単化させ、無線通信システムのデータ伝送ピーク速度及びスループットを向上させる。
【０１０８】
他の実施例において、ソフトウェアを更に提供し、該ソフトウェアは上記実施例及び例示する実施形態に説明した技術を実行することに用いられる。
【０１０９】
他の実施例において、記憶媒体を更に提供し、該記憶媒体に上記ソフトウェアが記憶され、該記憶媒体はコンパクトディスク、フロッピーディスク、ハードディスク、消去可能なメモリ等を含むが、これらに制限されない。
【０１１０】
当業者は、上記の本発明の各モジュール又は各ステップは汎用のコンピュータによって実現することができ、それらは単一の計算装置に集積してもよいし、又は複数のコンピュータからなるネットワークに配布されてもよく、選択的に、それらは、コンピュータが実行可能なプログラムコードで実現してよく、それにより、それらを記憶装置に記憶してコンピュータで実行してよい。且つある場合には、ここでの順序と異なる順序で示した又は記述したステップを実行してもよく、又はそれらをそれぞれ各集積回路モジュールに製造して、又はそれらにおける複数のモジュール又はステップを単一の集積回路モジュールに製造して実現してもよいことを理解すべきである。このように、本発明はいずれの特定なハードウェアとソフトウェアの組み合わせに限定されるものではない。
【０１１１】
以上は本発明の例示する実施例であるに過ぎず、本発明を制限するためのものではなく、当業者にとって、本発明は様々な変更と変形が可能である。本発明の趣旨と原則を逸脱しない限り、行ったいずれの変更、等価な置き換え、改良等は、いずれも本発明の保護範囲に含まれる。
【産業上の利用可能性】
【０１１２】
本発明による上記した技術は、基地局は伝送タイプと予め定義された情報に基づきＭＣＳ表を選択して基地局が選択したＭＣＳ表に基づくＩＭＣＳを送信する技術手段を採用して、関連技術において、通常のテーブルはより高次変調方式をサポートできない技術的課題を解決し、それにより基地局と端末がより高次の変調方式に基づく伝送を実現する。
【図１】
0006489584.tif 000009
【図２】
0006489584.tif 000010
【図３】
0006489584.tif 000011
【図４】
0006489584.tif 000012